(57)【要約】【課題】ウェアラブルカメラのバッテリの消費の無用な増大を抑制し、リアルタイムに撮像映像を送信可能とする。【解決手段】ウェアラブルカメラシステムは、ユーザの装着又は保持が可能なウェアラブルカメラ及び通信端末と、通信端末と通信可能に接続されたサーバと、を含む。ウェアラブルカメラは、第１通信形態を用いて通信端末と接続し、撮像エリアを撮像した撮像映像を、通信端末を介してサーバに送信する際、第１通信形態から第２通信形態に切り替え、第２通信形態を用いて撮像映像を通信端末に送信する。通信端末は、ウェアラブルカメラにおける第２通信形態への切り替えに連動して第１通信形態から第２通信形態に切り替え、第２通信形態を用いてウェアラブルカメラから送信された撮像映像をサーバに転送する。【選択図】図８
2018037965.tif 000002
【特許請求の範囲】
【請求項１】
ユーザの装着又は保持が可能なウェアラブルカメラ及び通信端末と、前記通信端末と通信可能に接続されたサーバと、を含むウェアラブルカメラシステムであって、
前記ウェアラブルカメラは、
第１通信形態)を用いて前記通信端末と接続し、
撮像エリアを撮像した撮像映像を、前記通信端末を介して前記サーバに送信する際、前記第１通信形態から第２通信形態に切り替え、前記第２通信形態を用いて前記撮像映像を前記通信端末に送信し、
前記通信端末は、
前記ウェアラブルカメラにおける前記第２通信形態への切り替えに連動して前記第１通信形態から前記第２通信形態に切り替え、前記第２通信形態を用いて前記ウェアラブルカメラから送信された前記撮像映像を前記サーバに転送する、
ウェアラブルカメラシステム。
【請求項２】
前記ウェアラブルカメラは、前記ユーザにより操作可能なボタンを有し、前記ボタンが操作された場合に、前記第１通信形態から前記第２通信形態に切り替える、請求項１に記載のウェアラブルカメラシステム。
【請求項３】
前記ウェアラブルカメラは、前記サーバからの切替要求に応じて、前記第１通信形態から前記第２通信形態に切り替える、請求項１に記載のウェアラブルカメラシステム。
【請求項４】
前記通信端末は、第３通信形態を用いて前記撮像映像を前記サーバに転送する、請求項１〜３のいずれか一項に記載のウェアラブルカメラシステム。
【請求項５】
前記撮像映像の前記通信端末から前記サーバへの転送が終了すると、前記ウェアラブルカメラ及び前記通信端末は、それぞれ前記第２通信形態から前記第１通信形態に切り替える、請求項１〜４のいずれか一項に記載のウェアラブルカメラシステム。
【請求項６】
ユーザの装着又は保持が可能なウェアラブルカメラ及び通信端末と、前記通信端末と通信可能に接続されたサーバと、を含むウェアラブルカメラシステムにおける通信制御方法であって、
前記ウェアラブルカメラは、
第１通信形態を用いて前記通信端末と接続し、
撮像エリアを撮像した撮像映像を、前記通信端末を介して前記サーバに送信する際、前記第１通信形態から第２通信形態に切り替え、前記第２通信形態を用いて前記撮像映像を前記通信端末に送信し、
前記通信端末は、
前記ウェアラブルカメラにおける前記第２通信形態への切り替えに連動して前記第１通信形態から前記第２通信形態に切り替え、前記第２通信形態を用いて前記ウェアラブルカメラから送信された前記撮像映像を前記サーバに転送する、
通信制御方法。
【発明の詳細な説明】
【技術分野】
【０００１】
本発明は、ユーザにより装着又は保持が可能なウェアラブルカメラと外部装置との間の通信を制御するウェアラブルカメラシステム及び通信制御方法に関する。
【背景技術】
【０００２】
近年、ユーザ（例えば警察官）の業務を効率的に支援するために、例えばパトロール時に警察官にウェアラブルカメラを装着又は所持させる運用の検討が進められている。
【０００３】
ウェアラブルカメラを用いた監視システムの先行技術として、例えば特許文献１に記載されたウェアラブル監視カメラシステムがある。特許文献１のウェアラブル監視カメラシステムは、身体に装着するＣＣＤカメラからの画像信号、及びマイクからの音声信号を記録可能である。ウェアラブル監視カメラシステムは、通信カードを有し、映像等のデータを通信カードを介して、センターサーバ装置に転送可能である。また、ウェアラブル監視カメラシステムは、ＣＣＤカメラ、マイク、通信カード等を給電するバッテリを有する。
【０００４】
このようなウェアラブルカメラシステムでは、例えばウェアラブルカメラで撮像した映像データをサーバに転送してストレージに記録し、後から検索や閲覧が可能なように映像データを蓄積しておく等の運用が行われる。
【先行技術文献】
【特許文献】
【０００５】
【特許文献１】特開２００６−１４８８４２号公報
【発明の概要】
【発明が解決しようとする課題】
【０００６】
しかしながら、特許文献１の構成では、ウェアラブルカメラにより撮像された映像データを、無線ＬＡＮを用いた無線ルータを介してサーバに送信する場合、ウェアラブルカメラが無線ルータに常時接続していると電力を消費し、通信カードを給電するバッテリの容量が足りなくなって、使用に支障をきたす可能性があった。例えば、映像データの送信途中でバッテリ切れが生じた場合、映像データの送信が中断された。
【０００７】
一方、バッテリの消費量が少ない近距離無線通信として、例えばＢＬＥ（Bluetooth Low Energy：省エネルギー型のＢｌｕｅｔｏｏｔｈ（登録商標））を用いて映像データを送信しようとすると、通信速度が遅くなり、ウェアラブルカメラからサーバに対し、リアルタイムで映像データを送信することができなかった。
【０００８】
本発明は、上述した従来の状況に鑑みて案出され、ウェアラブルカメラのバッテリの消費の無用な増大を抑制し、リアルタイムに撮像映像を送信可能とするウェアラブルカメラシステム及び通信制御方法を提供することを目的とする。
【課題を解決するための手段】
【０００９】
本発明は、ユーザの装着又は保持が可能なウェアラブルカメラ及び通信端末と、前記通信端末と通信可能に接続されたサーバと、を含むウェアラブルカメラシステムであって、前記ウェアラブルカメラは、第１通信形態を用いて前記通信端末と接続し、撮像エリアを撮像した撮像映像を、前記通信端末を介して前記サーバに送信する際、前記第１通信形態から第２通信形態に切り替え、前記第２通信形態を用いて前記撮像映像を前記通信端末に送信し、前記通信端末は、前記ウェアラブルカメラにおける前記第２通信形態への切り替えに連動して前記第１通信形態から前記第２通信形態に切り替え、前記第２通信形態を用いて前記ウェアラブルカメラから送信された前記撮像映像を前記サーバに転送する、ウェアラブルカメラシステムを提供する。
【００１０】
また、本発明は、ユーザの装着又は保持が可能なウェアラブルカメラ及び通信端末と、前記通信端末と通信可能に接続されたサーバと、を含むウェアラブルカメラシステムにおける通信制御方法であって、前記ウェアラブルカメラは、第１通信形態を用いて前記通信端末と接続し、撮像エリアを撮像した撮像映像を、前記通信端末を介して前記サーバに送信する際、前記第１通信形態から第２通信形態に切り替え、前記第２通信形態を用いて前記撮像映像を前記通信端末に送信し、前記通信端末は、前記ウェアラブルカメラにおける前記第２通信形態への切り替えに連動して前記第１通信形態から前記第２通信形態に切り替え、前記第２通信形態を用いて前記ウェアラブルカメラから送信された前記撮像映像を前記サーバに転送する、通信制御方法を提供する。
【発明の効果】
【００１１】
本発明によれば、ウェアラブルカメラのバッテリの消費の無用な増大を抑制でき、リアルタイムに撮像映像を送信できる。
【図面の簡単な説明】
【００１２】
【図１】各実施形態のウェアラブルカメラシステムの概略構成の一例を示す説明図
【図２】各実施形態のウェアラブルカメラを装着した警察官の上半身の一例を示す図
【図３】各実施形態のウェアラブルカメラの筐体の表側の面の一例を示す正面図
【図４】各実施形態のウェアラブルカメラのハードウェア構成の一例を示すブロック図
【図５】各実施形態のスマートフォンのハードウェア構成の一例を示すブロック図
【図６Ａ】バックエンドストリーミングサーバのハードウェア構成の一例を示すブロック図
【図６Ｂ】バックエンドサーバのハードウェア構成の一例を示すブロック図
【図６Ｃ】バックエンドクライアントのハードウェア構成の一例を示すブロック図
【図７】ストリーミング映像データの構成例を示す図
【図８】第１の実施形態における、ウェアラブルカメラのストリーミング開始操作に応じて開始されるストリーミング動作手順の一例を詳細に説明するシーケンス図
【図９】第１の実施形態における、バックエンドクライアントからのストリーミング開始操作に応じて開始されるストリーミング動作手順の一例を詳細に説明するシーケンス図
【図１０】第１の実施形態におけるウェアラブルカメラのストリーミング配信の動作手順の一例を詳細に説明するフローチャート
【図１１】第１の実施形態におけるスマートフォンのストリーミング配信の動作手順の一例を詳細に説明するフローチャート
【図１２】第２の実施形態のウェアラブルカメラが載置（セット）される集合充電台の外観例を示す斜視図
【図１３】各実施形態のウェアラブルカメラの筐体の裏面の一例を示す斜視図
【図１４】第２の実施形態におけるウェアラブルカメラからのデータ転送動作の第１例を詳細に説明するシーケンス図
【図１５】第２の実施形態におけるウェアラブルカメラからのデータ転送動作の第２例を詳細に説明するシーケンス図
【発明を実施するための形態】
【００１３】
（第１の実施形態の内容に至る経緯）
従来技術として、例えば特許文献１の構成では、ウェアラブルカメラにより撮像された映像データを、無線ＬＡＮを用いた無線ルータを介してサーバに送信する場合、ウェアラブルカメラが無線ルータに常時接続していると電力を消費し、通信カードを給電するバッテリの容量が足りなくなって、使用に支障をきたす可能性があった。例えば、映像データの送信途中でバッテリ切れが生じた場合、映像データの送信が中断された。
【００１４】
一方、バッテリの消費量が少ない近距離無線通信として、例えばＢＬＥ（Bluetooth Low Energy：省エネルギー型のＢｌｕｅｔｏｏｔｈ（登録商標））を用いて映像データを送信しようとすると、通信速度が遅くなり、ウェアラブルカメラからサーバに対し、リアルタイムで映像データを送信することができなかった。
【００１５】
そこで、第１の実施形態では、上述した従来の状況に鑑みて、ウェアラブルカメラのバッテリの消費の無用な増大を抑制し、リアルタイムに撮像映像を送信可能とするウェアラブルカメラシステム及び通信制御方法の例を説明する。
【００１６】
以下、適宜図面を参照しながら、本発明に係るウェアラブルカメラシステム及び通信制御方法を具体的に開示した各実施形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。なお、添付図面及び以下の説明は、当業者が本開示を十分に理解するために提供されるのであって、これらにより特許請求の範囲に記載の主題を限定することは意図されていない。
【００１７】
（第１の実施形態）
以下、各実施形態のウェアラブルカメラは、ユーザの一例として、警察官により装着又は保持が可能である。但し、ウェアラブルカメラのユーザは、警察官に限定されず、例えば警備員、店舗等の従業員でも構わない。図１は、各実施形態のウェアラブルカメラシステム５の概略構成の一例を示す説明図である。ウェアラブルカメラシステム５は、警察官３（図２参照）の制服に装着されたあるいは警察官３によって所持されたウェアラブルカメラ１０と、パトロールカー（以下、「パトカー」と略称）に搭載された車載カメラシステム（ＩＣＶ（In Car Video）システム）３０と、警察署４内に設置された署内システム８とを含む構成である。
【００１８】
ウェアラブルカメラ１０は、警察官３の制服に装着された場合、警察官３の前方（言い換えると、警察官３の進行方向）のエリア（撮像エリア）を被写体として撮像し、撮像映像データを署内システム８及び車載カメラシステム３０に送信する。ここでは、撮像映像データを送信する場合を示すが、撮像映像データと共にあるいは撮像映像データの代わりに、ウェアラブルカメラ１０のマイク２９Ａ（図４参照）が収音した音声データが送信されてもよく、以後の説明においても同様である。
【００１９】
ウェアラブルカメラ１０により撮像された撮像映像データは、ストリーミング映像データとして、署内システム８に送信される。撮像映像データは、例えば警察官３が事件現場に出向いた時又はパトロール中に、事件現場においてウェアラブルカメラ１０により撮像された映像データである。なお、ウェアラブルカメラ１０の撮像対象となる被写体には、単に主要な人物（例えば事件の被疑者、容疑者、参考人、証人）だけではなく、現場の近くに群がる群衆（いわゆる、野次馬）、事件現場の風景、更に、撮像位置の周囲の雰囲気も含まれるとする。
【００２０】
警察官３は、ウェアラブルカメラ１０と通信可能な通信端末としてのスマートフォン８０を装着又は所持する。スマートフォン８０は、電話機能及び無線通信機能を有し、例えば警察署４からの緊急連絡又は警察署４への緊急連絡時に使用され、汎用的な携帯端末として使用される。
【００２１】
ウェアラブルカメラ１０を制服に装着した警察官３が現場にいる場合、ウェアラブルカメラ１０は、低消費電力で近距離無線通信可能な通信形態（例えばＢＬＥ（Bluetooth Low Energy））を用いてスマートフォン８０と接続される。但し、ＢＬＥは、通信速度が１００ｋｂｐｓ程度と低速であるので、長時間の映像データの転送には適さない。スマートフォン８０は、ＢＬＥを用いて、ウェアラブルカメラ１０により撮像された動画等の撮像映像データを再生したり、スナップショット（つまり、静止画等の撮像画像データ）を表示したりする。また、警察官３の操作に応じて撮像映像データにメタデータ（後述参照）を付与したりすることも可能である。なお、近距離無線通信は、ＢＬＥによらず、バージョン４．０以前のＢｌｕｅｔｏｏｔｈ（登録商標）やＦｅｌｉｃａ（登録商標）等、他の通信規格であってもよい。
【００２２】
また、ウェアラブルカメラ１０は、スマートフォン８０を介して、署内システム８内のバックエンドストリーミングサーバ（ＢＳＳ：Back-end Streaming Serve）６０と接続可能である。つまり、ウェアラブルカメラ１０は、スマートフォン８０を介して、撮像映像データをストリーミング映像データとしてバックエンドストリーミングサーバ６０に送信する。
【００２３】
この場合、ウェアラブルカメラ１０は、所定の通信形態（例えばＷｉｆｉ（登録商標）等の無線ＬＡＮ）を用いてスマートフォン８０と接続される。無線ＬＡＮ（つまり、ＷＬＡＮ（Wireless Local Area Network））は、ＢＬＥと比べ、通信速度が数十〜数百Ｍｂｐｓと高速通信可能である。スマートフォン８０は、無線ＬＡＮを用いてウェアラブルカメラ１０からのストリーミング映像データを受信すると、ストリーミング映像データを、他の通信形態（例えばＬＴＥ（Long Term Evolution））を用いたネットワークＮＷを介して、バックエンドストリーミングサーバ６０に転送する。
【００２４】
無線ＬＡＮを用いる場合、スマートフォン８０のテザリング機能が利用される。テザリング機能では、スマートフォン８０が無線ＬＡＮアクセスポイントとして動作する。スマートフォン８０は、ウェアラブルカメラ１０により撮像された撮像映像データをバックエンドストリーミングサーバ６０にリアルタイムに転送する。なお、スマートフォン８０を用いる代わりに、タブレット端末（不図示）やモバイルルータ（不図示）を用いて同様にデータ転送を行ってもよい。
【００２５】
スマートフォン８０は、警察官３がポケット等に入れて使用可能なものであり、ウェアラブルカメラ１０からの撮像映像データをバックエンドストリーミングサーバ６０に送信する他、ウェアラブルカメラ１０により撮像される撮像映像データをプレビュー用に閲覧可能に表示してよい。
【００２６】
また、スマートフォン８０は、ウェアラブルカメラ１０と常時接続され、ウェアラブルカメラ１０により撮像される撮像映像データに対して各種の処理を行うことができる。例えば、前述したように、スマートフォン８０は、警察官３の操作により、撮像映像データを再生したり、撮像映像データにメタデータ（後述参照）を付加する他、撮像映像データに含まれる不要なデータを削除したり、事件の種類を示すタグを撮像映像データに付与する。メタデータは、撮像映像データに関連する付属の情報を示すデータであり、例えば事件番号、事件の分類（タグのこと。例えば「殺人」、「強盗」、「放火」等）、警察官３自身の操作により入力されたコメント（例えば事件に関するメモ）等である。
【００２７】
ウェアラブルカメラ１０からバックエンドストリーミングサーバ６０に撮像映像データを送信する場合、撮像映像データを閲覧するためのビューワがウェアラブルカメラ１０に設けられていないので、警察官３が必要な撮像映像データだけを選別して送信することは難しい。ところが、警察官３は、スマートフォン８０を用いることにより、自己が確認して選別した撮像映像データだけをバックエンドストリーミングサーバ６０に送ることができる。従って、無用な撮像映像データを送信しなくて済み、バックエンドストリーミングサーバ６０における映像データの蓄積量を抑えることができる。
【００２８】
バックエンドストリーミングサーバ６０は、署内システム８内のバックエンドサーバ（ＢＥＳ：Back-End Server）５０と接続されており、ウェアラブルカメラ１０から送信されてストレージ６８（図６Ａ参照）に記憶した撮像映像データ（ストリーミング映像データ）をバックエンドサーバ５０に転送可能である。バックエンドサーバ５０に転送した後、バックエンドストリーミングサーバ６０は、ストレージ６８に記憶した映像データをすぐに消去してもよいし、一定期間の間だけ保持してもよい。
【００２９】
また、ウェアラブルカメラ１０は、後述するように、警察官３により手動で集合充電台９０に載置（セット）されることで、ウェアラブルカメラ１０に記憶した映像データを、例えば警察署４内において利用可能な無線ＬＡＮを用いてバックエンドサーバ５０に直接送信することも可能である。
【００３０】
車載カメラシステム３０は、車載ＰＣ（Personal Computer）３２及び車載レコーダ３３を有し、パトカー７で走行中に遭遇する事件等の映像を撮像して記録する。車載カメラ３１は、パトカー７内に複数設けられることが多い。この場合、複数の車載カメラ３１は、例えばパトカー７の前方、左側方、右側方、後方をそれぞれ撮像可能なようにパトカー７内において設置される。車載ＰＣ３２は、例えばパトカー７内に設置され、警察官３が操作する指示に従い、車載カメラ３１及び車載レコーダ３３の動作を制御する。車載レコーダ３３は、少なくとも１つの車載カメラ３１により撮像された撮像映像データを時系列に記録する。
【００３１】
車載カメラシステム３０は、例えばバックエンドサーバ５０と無線接続され、警察官３の操作により、車載レコーダ３３に記録された撮像映像データの中から特定の撮像映像データを選別してバックエンドサーバ５０に送信してよい。また、ウェアラブルカメラ１０を制服に装着した警察官３がパトカー７に乗車している場合、車載ＰＣ３２は、ＵＳＢ（Universal Serial Bus）を介してウェアラブルカメラ１０と通信可能であり、ウェアラブルカメラ１０により撮像された撮像映像データを車載レコーダ３３に記録する。また、車載レコーダ３３は、ＢＬＥ又は無線ＬＡＮを用いてウェアラブルカメラ１０からの撮像映像データを直接に記録することも可能である。
【００３２】
署内システム８は、警察署４の内部に設置された、バックエンドサーバ５０と、バックエンドストリーミングサーバ６０と、バックエンドクライアント（ＢＥＣ:Back-End Client）７５と、バックエンドアドミニストレータ（ＢＥＡ:Back-End Administrator）７０と、無線ＬＡＮアクセスポイント６３Ｐと、集合充電台９０とを含む構成である。
【００３３】
バックエンドストリーミングサーバ６０は、ネットワークＮＷを介してスマートフォン８０と通信可能に接続される。従って、バックエンドストリーミングサーバ６０は、ネットワークＮＷ及びスマートフォン８０を介して、ウェアラブルカメラ１０と通信可能に接続される。バックエンドストリーミングサーバ６０は、ウェアラブルカメラ１０からリアルタイムにストリーミング配信される撮像映像データを受信し、ストレージ６８に蓄積するとともに、バックエンドサーバ５０に転送する。
【００３４】
バックエンドサーバ５０は、バックエンドストリーミングサーバ６０と有線又は無線で接続され、バックエンドストリーミングサーバ６０のストレージ６８に蓄積されたストリーミング映像データを受信してストレージ５８（図６Ｂ参照）に蓄積する。バックエンドサーバ５０は、例えば警察署４が管轄する事件の証拠映像等を管理するサーバであり、セキュリティの観点（例えば不正アクセスによるデータ搾取の防止）からインターネット等の外部のネットワークＮＷとの接続が排除され、警察署４内に閉じたネットワーク（例えばイントラネット）内での利用にのみ供されている。
【００３５】
無線ＬＡＮアクセスポイント６３Ｐは、ウェアラブルカメラ１０との間を無線ＬＡＮによって接続し、ウェアラブルカメラ１０から送信された撮像映像データを受信してバックエンドサーバ５０に転送する。なお、ウェアラブルカメラ１０は、警察署４内においては、有線ＬＡＮを用いてバックエンドサーバ５０に撮像映像データを転送することも可能である。また、ウェアラブルカメラ１０は、警察署４内においては、ウェアラブルカメラ１０とＵＳＢケーブルを介して接続されたバックエンドクライアント７５に撮像映像データを送り、バックエンドクライアント７５からバックエンドサーバ５０に転送することも可能である。なお、ウェアラブルカメラ１０は、警察署４内においては、通信（例えば警察署４内において提供可能な有線ＬＡＮ又は無線ＬＡＮによる通信）によって撮像映像データをバックエンドクライアント７５に送ってもよい。
【００３６】
また、バックエンドサーバ５０は、例えばウェアラブルカメラ１０により撮像された撮像映像データを構成する画像フレーム中の人物の顔を認識する顔認識機能や、ウェアラブルカメラ１０から送信された音声データに含まれる人物の音声を認識する音声認識機能を有する。
【００３７】
バックエンドクライアント７５は、例えば警察署４内の監視室ＲＶに設置され、特定の警察官によって操作されるＰＣである。バックエンドクライアント７５は、バックエンドサーバ５０の不審人物データベース（不図示）にアクセスし、犯罪者等の事件に関する情報を検索してその検索結果をディスプレイデバイス（例えばバックエンドクライアント７５に予め備え付けのＬＣＤ（Liquid Crystal Display））上に表示可能なブラウザ又は専用アプリケーションを有する。不審人物データベースには、例えば指名手配中の人物や過去の犯罪者等が事件を識別する情報（例えば事件番号）に対応付けて予め登録されている。また、バックエンドクライアント７５は、バックエンドサーバ５０の犯罪データベース（図示せず）にアクセスし、犯罪者等の事件に関する情報を検索可能である。
【００３８】
バックエンドアドミニストレータ７０は、バックエンドサーバ５０及びバックエンドストリーミングサーバ６０を経由し、ネットワークＮＷを介して、ウェアラブルカメラ１０の性能を診断可能である。なお、バックエンドアドミニストレータ７０は、警察署４の内部に設置されるだけでなく、警察署４の外部に設置されたものでもよい。また、バックエンドアドミニストレータ７０は、シンクライアントＰＣ或いはリッチクライアントＰＣのいずれであってもよい。また、バックエンドアドミニストレータ７０は、バックエンドストリーミングサーバ６０を介さずにネットワークＮＷを経由してウェアラブルカメラ１０に接続してウェアラブルカメラ１０の性能を診断することも可能である。更に、バックエンドアドミニストレータ７０からのアクセスの代わりに、バックエンドクライアント７５からのアクセスにより、ウェアラブルカメラ１０の性能診断がバックエンドクライアント７５により行われても構わない。
【００３９】
バックエンドクライアント７５は、警察署４内の警察官によって操作されるＰＣである。バックエンドクライアント７５は、映像データの検索や再生を行う。また、バックエンドクライアント７５は、映像を閲覧可能に表示し、また、裁判所に提出される記憶媒体を作成する。また、バックエンドクライアント７５は、映像の振れ補正を行い、また、画質を向上させる処理を行う。
【００４０】
集合充電台９０は、複数の警察官３がそれぞれ装着又は所持するウェアラブルカメラ１０を載置可能であり、載置された個々のウェアラブルカメラ１０を充電する。また、集合充電台９０は、ウェアラブルカメラ１０が載置されるとそのウェアラブルカメラ１０と有線で接続し、ウェアラブルカメラ１０に記憶された撮像映像データを、警察署４内において利用可能な無線ＬＡＮを用いてバックエンドサーバ５０に送信する機能を有する。
【００４１】
このような構成を有するウェアラブルカメラシステム５では、ウェアラブルカメラ１０は、近距離無線通信やＵＳＢ等の信号ケーブルを用いて、車載カメラシステム３０とデータ転送可能に接続される。ウェアラブルカメラ１０で撮像された映像データは、車載カメラシステム３０に転送され、車載カメラシステム３０で再生あるいは録画され、また、バックエンドサーバ５０に送信される。
【００４２】
車載カメラシステム３０は、車載カメラ３１で撮像された映像データ及びウェアラブルカメラ１０で撮像された映像データを車載レコーダ３３に記録し、無線ＬＡＮを経由してバックエンドストリーミングサーバ６０に送信可能である。
【００４３】
ウェアラブルカメラ１０は、スマートフォン８０及びネットワークＮＷを介して、撮像した撮像映像データを署内システム８内のバックエンドストリーミングサーバ６０に送信可能である。また、ウェアラブルカメラ１０は、撮像により得た撮像映像データを、無線ＬＡＮアクセスポイント６３Ｐを用いた無線ＬＡＮを経由してバックエンドサーバ５０に直接に送信可能である。更に、ウェアラブルカメラ１０は、有線ＬＡＮを経由でバックエンドサーバ５０に直接に送信可能であり、また、ＵＳＢで接続されたバックエンドクライアント７５を介してバックエンドサーバ５０に送信可能である。
【００４４】
また、警察官３は、警察署４に戻り、集合充電台９０にウェアラブルカメラ１０を装着（載置）することで、集合充電台９０は、ウェアラブルカメラ１０を充電する。また、集合充電台９０は、ウェアラブルカメラ１０が集合充電台９０の充電口に載置されたことにより、ウェアラブルカメラ１０に記録された撮像映像データを読み出し、集合充電台９０とＵＳＢケーブルを介して接続されたバックエンドクライアント７５を経由して、バックエンドサーバ５０に送信可能である。
【００４５】
図２は、各実施形態のウェアラブルカメラ１０を装着した警察官３の上半身の一例を示す図である。ウェアラブルカメラ１０は、警察官３の前方を撮像可能なように、警察官３の制服の前部に置かれる。例えばウェアラブルカメラ１０は、首から紐で吊り下げた状態で制服の前部に固定されてもよいし、ウェアラブルカメラ１０の筐体１０ｚ（図３参照）の背面に取り付けられた取付具（例えば取付用クリップ）と制服の前部に取り付けられた被取付具とが係合することで制服の前部に固定されてもよい。
【００４６】
図３は、各実施形態のウェアラブルカメラ１０の筐体１０ｚの表側の面の一例を示す正面図である。筐体１０ｚの表側の面には、録画スイッチＳＷ１、スナップショットスイッチＳＷ２及び撮像レンズ１１ｚが配置される。録画スイッチＳＷ１は、短押しされることで録画の開始を指示し、長押し（例えば３秒間の押し状態が継続された操作）されることで録画の停止を指示する。スナップショットスイッチＳＷ２は、押下される度に、撮像部１１により撮像される静止画の記憶部１５（図４参照）への記録を指示する。撮像レンズ１１ｚは、撮像レンズ１１ｚに入射する被写体の反射光を撮像部１１（図４参照）の撮像面に結像させる。
【００４７】
筐体１０ｚの側面には、通信モードスイッチＳＷ３及び属性情報付与スイッチＳＷ４が配置される。通信モードスイッチＳＷ３は、後述するように、通信モードを設定するスイッチである。属性情報付与スイッチＳＷ４は、後述するように、ウェアラブルカメラ１０によってメタデータを付与可能なスイッチである。
【００４８】
筐体１０ｚの上面には、３個のＬＥＤ２６ａ，２６ｂ，２６ｃが配置される。ＬＥＤ２６ａは、ウェアラブルカメラ１０の電源オン／オフの状態及びバッテリ２５（図４参照）の状態を表示する。ＬＥＤ２６ｂは、ウェアラブルカメラ１０の撮像動作の状態を表示する。ＬＥＤ２６ｃは、ウェアラブルカメラ１０の通信モードの状態を表示する。
【００４９】
図４は、各実施形態のウェアラブルカメラ１０のハードウェア構成の一例を示すブロック図である。ウェアラブルカメラ１０は、撮像部１１と、ＧＰＩＯ１２（General Purpose Input/Output）と、ＲＡＭ（Random Access Memory）１３と、ＲＯＭ（Read Only Memory）１４と、記憶部１５と、を備える。ウェアラブルカメラ１０は、ＥＥＰＲＯＭ（Electrically Erasable Programmable ROM）１６と、ＲＴＣ（Real Time Clock)１７と、ＧＰＳ（Global Positioning System）受信部１８と、を備える。ウェアラブルカメラ１０は、ＭＣＵ（Micro Controller Unit）１９と、ＢＬＥ通信部２１Ａと、ＷＬＡＮ通信部２１Ｂと、ＵＳＢ（Universal Serial Bus）インターフェース（Ｉ／Ｆ）２２と、コンタクトターミナル２３と、電源部２４と、バッテリ２５と、を備える。
【００５０】
ウェアラブルカメラ１０は、録画スイッチＳＷ１と、スナップショットスイッチＳＷ２と、通信モードスイッチＳＷ３と、属性情報付与スイッチＳＷ４と、を備える。
【００５１】
ウェアラブルカメラ１０は、３個のＬＥＤ（Light Emitting Diode）２６ａ，２６ｂ，２６ｃと、バイブレータ２７と、を備える。
【００５２】
撮像部１１は、撮像レンズ１１ｚ（図３参照）と、ＣＣＤ（Charge Coupled Device）型イメージセンサ又はＣＭＯＳ（Complementary Metal Oxide Semiconductor）型イメージセンサ等による固体撮像素子と、を有する。撮像部１１は、撮像により得られた被写体の画像データをＭＣＵ１９に出力する。
【００５３】
ＧＰＩＯ１２は、パラレルインターフェースである。ＧＰＩＯ１２には、録画スイッチＳＷ１、スナップショットスイッチＳＷ２、通信モードスイッチＳＷ３、属性情報付与スイッチＳＷ４、ＬＥＤ２６ａ，２６ｂ，２６ｃ、バイブレータ２７、ＬＣＤ２８、音声出力端子としてのイヤホン端子２９Ｃ、スピーカ２９Ｂ、マイク２９Ａが接続される。
【００５４】
コンタクトターミナル２３の検知端子ＣＯＮ．ＤＥＴは、後述するように、ウェアラブルカメラ１０が集合充電台９０に載置（セット）された場合、あるいは集合充電台９０から取り外された場合に電圧変化が生じる端子である。コンタクトターミナル２３の検知端子ＣＯＮ．ＤＥＴは、ＡＤコンバータＣＶに接続される。検知端子ＣＯＮ．ＤＥＴの電圧変化を示す信号は、ＡＤコンバータＣＶにおいてデジタル信号に変換され、そのデジタル信号がＩ２Ｃ２０を介してＭＣＵ１９に入力される。
【００５５】
ジャイロセンサＧＹ、加速度センサＡＣ、及びＡＤコンバータＣＶは、ＭＣＵ１９内に設けられる通信インターフェース（例えばＩ２Ｃ２０）を介してＭＣＵ１９と接続される。なお、コンタクトターミナルの２３の検知端子ＣＯＮ．ＤＥＴを、ＡＤコンバータＣＶを介さずにＧＰＩＯ１２へ接続することでも類似の効果を得ることは可能である。
【００５６】
ＧＰＩＯ１２は、これらの各種電子部品とＭＣＵ１９との間で信号を入出力する。例えばマイク２９Ａは、ウェアラブルカメラ１０の周囲の音声を収音し、収音された音声の音声データを、ＧＰＩＯ１２を介してＭＣＵ１９に出力する。なお、マイク２９Ａは、ウェアラブルカメラ１０の筐体１０ｚに収容された内蔵マイクであってもよいし、ウェアラブルカメラ１０と無線接続されたワイヤレスマイクであってもよい。ワイヤレスマイクの場合、警察官３が任意の箇所に取り付けることで、収音性を高めることができる。
【００５７】
ＲＡＭ１３は、例えばＭＣＵ１９の動作において使用されるワークメモリである。ＲＯＭ１４は、例えばＭＣＵ１９を制御するためのプログラム及びデータを予め記憶する。
【００５８】
記憶部１５は、例えばメモリカード等の記憶媒体により構成され、自動録画開始等の指示（つまり、録画開始指示）に基づき、撮像部１１により撮像された撮像映像データを記録する。また、記憶部１５は、解像度アップ情報等が設定された設定データファイル１５ｚを有する。例えば記憶部１５がメモリカードで構成される場合、ウェアラブルカメラ１０の筐体１０ｚに挿抜自在に装着される。
【００５９】
ＥＥＰＲＯＭ１６は、例えばウェアラブルカメラ１０を識別する識別情報（例えばＣａｍｅｒａ  ＩＤとしてのシリアル番号）、及び各種設定情報を記憶する。ＲＴＣ１７は、現在の時刻情報をカウントしてＭＣＵ１９に出力する。
【００６０】
ＧＰＳ受信部１８は、複数のＧＰＳ発信機（例えば４個の航法衛星）から送信される、各自の信号送信時刻及び位置座標を含む衛星信号を受信してＭＣＵ１９に出力する。ＭＣＵ１９は、複数の衛星信号を用いて、現在のウェアラブルカメラ１０の位置座標及び衛星信号の受信時刻を算出する。なお、この算出は、ＭＣＵ１９ではなく、ＧＰＳ受信部１８により実行されてもよい。この受信時刻の情報は、ウェアラブルカメラ１０のシステム時刻の補正のためにも使用されてもよい。システム時刻は、撮像された画像（静止画、動画を含む）の撮像時刻の記録等に利用される。
【００６１】
ＭＣＵ１９は、ウェアラブルカメラ１０の制御部としての機能を有し、例えばウェアラブルカメラ１０の各部の動作を全体的に統括するための制御処理、ウェアラブルカメラ１０の各部との間のデータの入出力処理、データの演算（計算）処理及びデータの記憶処理を行う。ＭＣＵ１９は、ＲＯＭ１４に記憶されたプログラム及びデータに従って動作する。ＭＣＵ１９は、動作時、ＲＡＭ１３を使用し、ＲＴＣ１７より現在の時刻情報を得る。
【００６２】
ＭＣＵ１９は、アプリケーションプログラムの実行により実現可能な検知部１９ｚを有し、この検知部１９ｚを用いて、マイク２９Ａにより収音された音声データのうち音声の区間を切り出した音声データを生成する。
【００６３】
ＢＬＥ通信部２１Ａは、近距離無線通信の通信規格であるＢＬＥ（Bluetooth Low Energy）の通信形態を用いて、スマートフォン８０等と通信を行う。ＢＬＥは、Ｂｌｕｅｔｏｏｔｈ（登録商標）のバージョン４．０の呼称である。ＢＬＥでは、低消費電力で通信可能あるが、その通信速度は１００ｋｂｐｓ程度と低速である。
【００６４】
ＷＬＡＮ通信部２１Ｂは、スマートフォン８０がテザリング機能を用いてアクセスポイントとして動作する場合にスマートフォン８０、又は警察署４内において利用可能な無線ＬＡＮの無線ＬＡＮアクセスポイント６３Ｐ等と無線ＬＡＮ（つまり、ＷＬＡＮ）で接続され、接続先と無線通信を行う。無線ＬＡＮは、ＢＬＥと比べ、通信速度が数十〜数百Ｍｂｐｓと高速通信可能であるが、無線ＬＡＮアクセスポイントと常時接続されるので、消費電力が多くなる。
【００６５】
ＵＳＢインターフェース２２は、シリアルバスであり、例えば車載カメラシステム３０、警察署４内のバックエンドクライアント７５等との接続を可能とする。
【００６６】
コンタクトターミナル２３は、集合充電台９０等と電気的に接続するための端子であり、ＵＳＢインターフェース２２を介してＭＣＵ１９に接続され、また、電源部２４と接続される。コンタクトターミナル２３は、電源部２４を介して、バッテリ２５を充電し、また、画像データ等を通信可能である。
【００６７】
コンタクトターミナル２３には、例えば「充電端子Ｖ＋」、「検知端子ＣＯＮ．ＤＥＴ」、「データ端子Ｄ−，Ｄ＋」及び「グランド端子ＧＮＤ」（図１３参照）が設けられる。検知端子ＣＯＮ．ＤＥＴは、電圧及び電圧変化を検出するための端子であり、ウェアラブルカメラ１０が集合充電台９０に載置（セット）されると、集合充電台９０からの電圧変化を検出する。検出された電圧変化は、ＧＰＩＯ１２に入力される。データ端子Ｄ−，Ｄ＋は、例えばＵＳＢコネクタ端子を介して、外部ＰＣ等に対してウェアラブルカメラ１０で撮像した画像等を転送するための端子である。ウェアラブルカメラ１０は、検知端子ＣＯＮ．ＤＥＴに印加された電圧をＡＤコンバータＣＶにおいてデジタル信号へ変換し、デジタル信号に基づく数値をＩ２Ｃ２０で読み出すことで検出した電圧変化をトリガとして、データ端子Ｄ−，Ｄ＋を通じてデータ転送を開始する。
【００６８】
コンタクトターミナル２３と集合充電台９０とが接続されることで、ウェアラブルカメラ１０と外部機器との間でデータ通信が可能となる。
【００６９】
電源部２４は、例えばコンタクトターミナル２３を介して集合充電台９０より供給される電源電力をバッテリ２５に給電して、バッテリ２５を充電する。バッテリ２５は、例えば充電可能な２次電池により構成され、ウェアラブルカメラ１０の各部に電源電力を供給する。
【００７０】
録画スイッチＳＷ１は、例えば警察官３の押下操作による録画（動画の撮像）の開始／停止の操作指示を入力する押しボタンスイッチである。録画スイッチＳＷ１は、例えば奇数回押下されることで録画（動画の撮像）が開始され、偶数回押下されることで録画が終了する。また、連続して２回押下されると、後述するように、録画スイッチＳＷ１は緊急ボタンとして機能する。
【００７１】
スナップショットスイッチＳＷ２は、例えば警察官３の押下操作による静止画の撮像の操作指示を入力する押しボタンスイッチである。スナップショットスイッチＳＷ２は、例えば押下される度に、押下時の静止画の撮像が実行される。
【００７２】
通信モードスイッチＳＷ３は、例えばウェアラブルカメラ１０と外部機器との間の通信モードを設定するための操作指示を入力するスライドスイッチである。通信モードは、例えばアクセスポイントモード、ステーションモード、ＯＦＦモードを含む。
【００７３】
アクセスポイントモードは、ウェアラブルカメラ１０が無線ＬＡＮアクセスポイントとして動作し、例えば警察官３が装着又は所持（保持）するスマートフォン８０と無線接続して、ウェアラブルカメラ１０とスマートフォン８０との間で通信を行うモードである。アクセスポイントモードにおいて、スマートフォン８０とウェアラブルカメラ１０とが無線接続することにより、スマートフォン８０は、ウェアラブルカメラ１０による現在のライブ画像の表示、録画された画像の再生、撮像された静止画の表示等を行うことができる。
【００７４】
ステーションモードは、無線ＬＡＮを用いて外部機器と接続する場合に、外部機器をアクセスポイントとして通信するモードである。例えばスマートフォン８０のテザリング機能を利用し、外部機器としてスマートフォン８０を設定してもよい。ステーションモードにおいて、ウェアラブルカメラ１０は、各種設定、ウェアラブルカメラ１０が保持する録画された画像の転送（アップロード）等を、車載カメラシステム３０や警察署４内のバックエンドクライアント７５やバックエンドサーバ５０に対して行うことができる。本実施形態では、ウェアラブルカメラ１０がバックエンドストリーミングサーバ６０に映像データを送信する場合、通信モードスイッチＳＷ３は、ステーションモードに設定される。
【００７５】
ＯＦＦモードは、無線ＬＡＮの通信動作をオフし、無線ＬＡＮを未使用とするモードである。
【００７６】
属性情報付与スイッチＳＷ４は、映像データに属性情報（メタデータ）を付与するために操作される押しボタンスイッチである。
【００７７】
ＬＥＤ２６ａは、例えばウェアラブルカメラ１０の電源投入状態（オンオフ状態）及びバッテリ２５の状態を示す表示部である。ＬＥＤ２６ｂは、例えばウェアラブルカメラ１０の撮像動作の状態（録画状態）を示す表示部である。ＬＥＤ２６ｃは、例えばウェアラブルカメラ１０の通信モードの状態を示す表示部である。また、３個のＬＥＤ２６ａ〜２６ｃは、ウェアラブルカメラ１０がバックエンドサーバ５０から通知データを受信すると、ＭＣＵ１９からの指示に従い、点滅動作を行う。この時、ＭＣＵ１９は、通知データに含まれる、音源に関する情報に応じて、ＭＣＵ１９は、ＬＥＤ２６ａ〜２６ｃの点滅パターンを可変させる。
【００７８】
ジャイロセンサＧＹは、ウェアラブルカメラ１０の角速度（つまり、単位時間あたりの回転角）を検知し、例えばウェアラブルカメラ１０を装着又は所持している警察官３が転倒したこと（Man Down）を検知する。ジャイロセンサＧＹの検知結果はＩ２Ｃ２０を介してＭＣＵ１９に入力される。ウェアラブルカメラ１０は、ジャイロセンサＧＹを用いることで、ウェアラブルカメラ１０を装着又は所持している警察官３の回転に関する挙動（例えば地面に転倒したこと、拳銃で撃たれて地面に倒れたこと、凶器で攻撃されて地面に倒れたこと）を精度良く検知することができる。
【００７９】
加速度センサＡＣは、ウェアラブルカメラ１０の直行座標系の３軸方向（いわゆる、ｘ軸，ｙ軸，ｚ軸）の加速度を検知し、例えばウェアラブルカメラ１０を装着又は所持している警察官３が転倒したこと（Man Down）、走り出したこと、警察官３が所持している拳銃を把持して射撃体勢になったことを検知する。加速度センサＡＣの検知結果はＩ２Ｃ２０を介してＭＣＵ１９に入力される。ウェアラブルカメラ１０は、加速度センサＡＣを用いることで、ウェアラブルカメラ１０を装着又は保持している警察官３の動き又は体勢に関する挙動を精度良く検知することができる。
【００８０】
ＭＣＵ１９は、録画スイッチＳＷ１、スナップショットスイッチＳＷ２、通信モードスイッチＳＷ３及び属性情報付与スイッチＳＷ４の各スイッチの入力検出を行い、操作があったスイッチ入力に対する処理を行う。
【００８１】
ＭＣＵ１９は、録画スイッチＳＷ１の操作入力を検出した場合、撮像部１１における撮像動作の開始又は停止を制御し、撮像部１１から得られた画像を、動画像として記憶部１５に保存する。
【００８２】
ＭＣＵ１９は、スナップショットスイッチＳＷ２の操作入力を検出した場合、スナップショットスイッチＳＷ２が操作されたときの撮像部１１による画像を、静止画像として記憶部１５に保存する。
【００８３】
ＭＣＵ１９は、通信モードスイッチＳＷ３の状態を検出し、通信モードスイッチＳＷ３の設定に応じた通信モードによって、ＢＬＥ通信部２１Ａ又はＷＬＡＮ通信部２１Ｂを動作させる。
【００８４】
ＭＣＵ１９は、属性情報付与スイッチＳＷ４が押下された場合、撮像部１１によって撮像された撮像映像データに、事件の種類を示すタグを属性情報として付与する。
【００８５】
図５は、各実施形態のスマートフォン８０のハードウェア構成の一例を示すブロック図である。スマートフォン８０は、ＣＰＵ８１と、メモリ８２と、ディスプレイ８３と、ＢＬＥ通信部８４と、ＷＬＡＮ通信部８５と、モバイル通信部８６とを有する。ＣＰＵ８１は、スマートフォン８０の各部の動作を統括的に制御する。メモリ８２は、ＣＰＵ８１によって実行される制御プログラムや各種データを記憶する。
【００８６】
ディスプレイ８３は、警察官の操作を受付可能なタッチパネルを用いて構成され、スマートフォン８０の動作状況を表す画面を表示し、また、ウェアラブルカメラ１０により撮像された撮像映像データ等を表示する。
【００８７】
ＢＬＥ通信部８４は、近距離無線通信の通信規格であるＢＬＥ（Bluetooth Low Energy）の通信形態を用いてウェアラブルカメラ１０等と通信を行う。ＷＬＡＮ通信部８５は、スマートフォン８０がテザリング機能を用いて無線ＬＡＮアクセスポイントとして動作する場合に無線ＬＡＮの通信形態を用いてウェアラブルカメラ１０と接続し、ウェアラブルカメラ１０との間で高速通信を行う。無線ＬＡＮは、ＢＬＥと比べ、通信速度が数十〜数百Ｍｂｐｓと高速通信可能である。
【００８８】
モバイル通信部８６は、携帯電話回線網を介して他のモバイル端末と通信可能であり、また、スマートフォン８０とインターネット等のネットワークＮＷに接続されたバックエンドストリーミングサーバ６０との間で行われるデータ通信を中継する。モバイル通信の通信規格として、ＬＴＥ（Long Term Evolution）や４Ｇ（4th Generation）等が用いられる。
【００８９】
図６Ａは、バックエンドストリーミングサーバ６０のハードウェア構成の一例を示すブロック図である。バックエンドストリーミングサーバ６０は、ウェアラブルカメラ１０から送信される撮像映像データを受信して蓄積し、バックエンドサーバ５０に転送する。バックエンドストリーミングサーバ６０は、ＣＰＵ６１と、Ｉ／Ｏ制御部６２と、通信部６３と、メモリ６４と、ストレージ制御部６７と、ストレージ６８とを備える。なお、バックエンドストリーミングサーバ６０は、バックエンドサーバ５０からの要求に応じてデータ転送を行うＰＣであるので、マウス等の入力部やディスプレイ等の表示部を備えることは必須ではないが、備えていてもよい。
【００９０】
ＣＰＵ６１は、バックエンドストリーミングサーバ６０の各部の動作を全体的に統括するための制御処理、他の各部との間のデータの入出力処理、及びデータの記憶処理を行う。ＣＰＵ６１は、メモリ６４に記憶されたプログラム及びデータに従って動作する。
【００９１】
メモリ６４は、例えばＲＡＭ、ＲＯＭ、不揮発性又は揮発性の半導体メモリを用いて構成され、ＣＰＵ６１の動作時のワークメモリとして機能し、ＣＰＵ６１を動作させるための所定のプログラム及びデータを保存している。
【００９２】
Ｉ／Ｏ制御部６２には、バックエンドサーバ５０、ストレージ制御部６７、及び通信部６３が接続される。バックエンドストリーミングサーバ６０は、Ｉ／Ｏ制御部６２を介して、バックエンドサーバ５０に対しデータ転送を行う。
【００９３】
通信部６３は、ネットワークＮＷ及びスマートフォン８０を介して、ウェアラブルカメラ１０と接続され、ウェアラブルカメラ１０から送信される映像データを受信する。また、通信部６３は、バックエンドサーバ５０との間で情報又はデータの受け渡しを行う。
【００９４】
ストレージ制御部６７は、ストレージ６８の動作を制御する。ストレージ６８は、ストレージ制御部６７によって制御される、ＳＳＤやＨＤＤ等の記憶装置であり、ＣＰＵ６１の指示に従い、Ｉ／Ｏ制御部６２を介してウェアラブルカメラ１０から送信された映像データを蓄積する。
【００９５】
図６Ｂは、バックエンドサーバ５０のハードウェア構成の一例を示すブロック図である。バックエンドサーバ５０は、ＣＰＵ５１と、Ｉ／Ｏ制御部５２と、通信部５３と、メモリ５４と、入力部５５と、表示部５６と、スピーカ５９と、ストレージ制御部５７と、ストレージ５８とを備える。
【００９６】
ＣＰＵ５１は、例えばバックエンドサーバ５０の各部の動作を全体的に統括するための制御処理、他の各部との間のデータの入出力処理、データの演算（計算）処理及びデータの記憶処理を行う。ＣＰＵ５１は、メモリ５４に記憶されたプログラム及びデータに従って動作する。
【００９７】
Ｉ／Ｏ制御部５２は、ＣＰＵ５１とバックエンドサーバ５０の各部（例えば通信部５３、入力部５５、表示部５６、ストレージ制御部５７）との間でデータの入出力に関する制御を行い、ＣＰＵ５１からのデータ及びＣＰＵ５１へのデータの中継を行う。なお、Ｉ／Ｏ制御部５２は、ＣＰＵ５１と一体的に構成されてもよい。
【００９８】
通信部５３は、例えば車載レコーダ３３、車載ＰＣ３２若しくはスマートフォン８０との間、警察官３が装着又は保持が可能なウェアラブルカメラ１０との間、又は、バックエンドクライアント７５との間で、有線又は無線による通信を行う。また、通信部５３は、バックエンドストリーミングサーバ６０との間、バックエンドクライアント７５との間、バックエンドアドミニストレータ７０との間で、それぞれ情報又はデータの受け渡しを行う。
【００９９】
メモリ５４は、例えばＲＡＭ、ＲＯＭ、不揮発性又は揮発性の半導体メモリを用いて構成され、ＣＰＵ５１の動作時のワークメモリとして機能し、ＣＰＵ５１を動作させるための所定のプログラム及びデータを保存している。
【０１００】
入力部５５は、警察官３や警察署４内の担当者の入力操作を受け付け、Ｉ／Ｏ制御部５２を介してＣＰＵ５１に通知するためのＵＩ（User Interface）であり、例えばマウス、キーボード等のポインティングデバイスである。入力部５５は、例えば表示部５６の画面に対応して配置され、警察官３又は担当者の指又はスタイラスペンによって操作が可能なタッチパネル又はタッチパッドを用いて構成されても良い。また、バックエンドサーバ５０は、警察署４内のネットワークで接続されたバックエンドアドミニストレータ７０又はバックエンドクライアント７５から操作することも可能である。
【０１０１】
表示部５６は、例えばＬＣＤ又は有機ＥＬを用いて構成され、各種情報を表示する。表示部５６は、例えば警察官３又は担当者の入力操作に応じて、ウェアラブルカメラ１０により撮像又は録画された映像が入力された場合には、ＣＰＵ５１の指示の下で、この映像を画面に表示する。表示部５６は、例えば警察官３又は担当者の入力操作に応じて、車載カメラ３１により撮像又は録画された映像が入力された場合には、ＣＰＵ５１の指示の下で、この映像を画面に表示する。また、警察署４内のネットワークで接続されたバックエンドアドミニストレータ７０又はバックエンドクライアント７５から操作された場合は、各種情報は、バックエンドアドミニストレータ７０又はバックエンドクライアント７５に表示される。
【０１０２】
スピーカ５９は、例えば警察官３又は担当者の入力操作に応じて、ウェアラブルカメラ１０により収音された音声が入力された場合には、ＣＰＵ５１の指示の下で、この音声を出力する。また、警察署４内のネットワークで接続されたバックエンドアドミニストレータ７０又はバックエンドクライアント７５から操作された場合は、音声は、バックエンドアドミニストレータ７０又はバックエンドクライアント７５に接続されたスピーカへ出力される。
【０１０３】
ストレージ制御部５７は、ＣＰＵ５１がバックエンドストリーミングサーバ６０に対し、蓄積された撮像映像データの送信を要求した場合に、この要求に応じて受信した映像データをストレージ５８に記憶する等の動作を制御する。ストレージ５８は、ストレージ制御部５７によって制御される、ＳＳＤやＨＤＤ等の記憶装置であり、ＣＰＵ５１からの指示に従い、Ｉ／Ｏ制御部５２を介してウェアラブルカメラ１０から送信された撮像映像データを蓄積する。
【０１０４】
図６Ｃは、バックエンドクライアント７５のハードウェア構成の一例を示すブロック図である。バックエンドクライアント７５は、ＣＰＵ１５１と、Ｉ／Ｏ制御部１５２と、通信部１５３と、メモリ１５４と、入力部１５５と、表示部１５６と、スピーカ１５９とを備える。
【０１０５】
ＣＰＵ１５１は、例えばバックエンドクライアント７５の各部の動作を全体的に統括するための制御処理、他の各部との間のデータの入出力処理、データの演算（計算）処理及びデータの記憶処理を行う。ＣＰＵ１５１は、メモリ１５４に記憶されたプログラム及びデータに従って動作する。
【０１０６】
Ｉ／Ｏ制御部１５２は、ＣＰＵ１５１とバックエンドクライアント７５の各部（例えば通信部１５３、入力部１５５、表示部１５６）との間でデータの入出力に関する制御を行い、ＣＰＵ１５１からのデータ及びＣＰＵ１５１へのデータの中継を行う。なお、Ｉ／Ｏ制御部１５２は、ＣＰＵ１５１と一体的に構成されてもよい。
【０１０７】
通信部１５３は、警察署４内の有線ＬＡＮに接続されたウェアラブルカメラ１０との間で有線による通信を行う。また、通信部１５３は、例えば車載レコーダ３３、車載ＰＣ３２若しくはスマートフォン８０との間、警察官３が装着又は保持が可能なウェアラブルカメラ１０との間、又は、バックエンドサーバ５０との間で、有線又は無線による通信を行ってもよい。また、通信部１５３は、バックエンドサーバ５０との間で情報又はデータの受け渡しを行う。
【０１０８】
メモリ１５４は、例えばＲＡＭ、ＲＯＭ、不揮発性又は揮発性の半導体メモリを用いて構成され、ＣＰＵ１５１の動作時のワークメモリとして機能し、ＣＰＵ１５１を動作させるための所定のプログラム及びデータを保存している。
【０１０９】
入力部１５５は、警察官３や警察署４内の担当者の入力操作を受け付け、Ｉ／Ｏ制御部１５２を介してＣＰＵ１５１に通知するためのＵＩ（User Interface）であり、例えばマウス、キーボード等のポインティングデバイスである。入力部１５５は、例えば表示部１５６の画面に対応して配置され、警察官３又は担当者の指又はスタイラスペンによって操作が可能なタッチパネル又はタッチパッドを用いて構成されても良い。
【０１１０】
表示部１５６は、例えばＬＣＤ又は有機ＥＬを用いて構成され、各種情報を表示する。表示部１５６は、例えば警察官３又は担当者の入力操作に応じて、ウェアラブルカメラ１０により撮像又は録画された映像が入力された場合には、ＣＰＵ１５１の指示の下で、この映像を画面に表示する。表示部１５６は、例えば警察官３又は担当者の入力操作に応じて、車載カメラ３１により撮像又は録画された映像が入力された場合には、ＣＰＵ１５１の指示の下で、この映像を画面に表示する。
【０１１１】
スピーカ１５９は、例えば警察官３又は担当者の入力操作に応じて、ウェアラブルカメラ１０により収音された音声が入力された場合には、ＣＰＵ１５１の指示の下で、この音声を出力する。
【０１１２】
図７は、ストリーミング映像データＤａの構成例を示す図である。このストリーミング映像データＤａは、ウェアラブルカメラ１０により撮像された撮像映像データである映像データｆｄと、ウェアラブルカメラ１０又はスマートフォン８０により付与されたメタデータｍｄとを含む。ストリーミング映像データＤａは、ウェアラブルカメラ１０から、スマートフォン８０、ネットワークＮＷを介して、バックエンドストリーミングサーバ６０にストリーミング配信されるデータである。メタデータｍｄは、上述したように、映像データｆｄの内容に関連する情報として、事件番号、事件の分類、警察官３の操作により入力されたコメント（例えば警察官３のメモ）等が挙げられる。なお、ここでは、ストリーミングデータとして、ストリーミング映像データを挙げたが、音声データをストリーミング音声データとして加えてもよい。
【０１１３】
上記構成を有するウェアラブルカメラシステム５の動作を示す。
【０１１４】
図８は、第１の実施形態における、ウェアラブルカメラ１０のストリーミング開始操作に応じて開始されるストリーミング動作手順の一例を詳細に説明するシーケンス図である。ここで、ウェアラブルカメラ１０の筐体に設けられた通信モードスイッチＳＷ３は、例えばストリーミング開始のボタン操作、又はストリーミング終了のボタン操作に相当する。なお、通信モードスイッチＳＷ３は、ストリーミング開始ボタン及びストリーミング終了ボタンとして２つのボタンを有してもよいが、ここでは、例えば通信モードスイッチＳＷ３の押下の有無の違いにより、ストリーミング開始とストリーミング終了とが切り替えられる。例えば通信モードスイッチＳＷ３が押下されているとストリーミング開始が指示され、通信モードスイッチＳＷ３が押下されていないとストリーミング終了が指示される。
【０１１５】
ウェアラブルカメラ１０は、警察官３が通信モードスイッチＳＷ３を操作する（つまり、ストリーミング開始のボタン操作を行う）まで待機する。ストリーミング開始のボタン操作がされると（Ｔ１）、ウェアラブルカメラ１０は、スマートフォン８０に対し、ウェアラブルカメラ１０とスマートフォン８０との間の通信形態を、ＢＬＥを用いた近距離無線通信（以下、「ＢＬＥ通信」と略称する）から無線ＬＡＮ（ＷＬＡＮ）に切り替える要求を行う（Ｔ２）。スマートフォン８０は、この切替要求を受けると、ＡＣＫ（Acknowledgement）を返す（Ｔ３）。このＡＣＫは、スマートフォン８０が手順Ｔ２の切替要求を正式に受信した旨を示す。手順Ｔ２，Ｔ３を含む範囲ＰＲＥ１では、ウェアラブルカメラ１０とスマートフォン８０との間ではＢＬＥ通信が行われる。
【０１１６】
ウェアラブルカメラ１０は、スマートフォン８０との通信を、ＢＬＥ通信から無線ＬＡＮに切り替える（Ｔ４）。また、スマートフォン８０も、同様にウェアラブルカメラ１０との通信を、ＢＬＥ通信から無線ＬＡＮに切り替える（Ｔ５）。スマートフォン８０は、無線ＬＡＮへの切替に応じてテザリングを開始し（Ｔ６）、ウェアラブルカメラ１０をネットワークＮＷに接続するための無線ＬＡＮアクセスポイントとして機能する。
【０１１７】
テザリング開始後、ウェアラブルカメラ１０は、無線ＬＡＮ接続確認要求をスマートフォン８０に送信する（Ｔ７）。無線ＬＡＮ接続確認要求は、通信相手に対して、無線ＬＡＮの通信形態を用いた接続ができていることの確認を求めるためのリクエストであり、以下同様である。スマートフォン８０は、この無線ＬＡＮ接続確認要求を受けると、ウェアラブルカメラ１０に確認応答（ＡＣＫ）を返す（Ｔ８）。このＡＣＫは、スマートフォン８０が手順Ｔ７の無線ＬＡＮ接続確認要求を正式に受信し、かつウェアラブルカメラ１０との間で無線ＬＡＮの通信形態を用いた接続ができていることの応答を示す。
【０１１８】
ウェアラブルカメラ１０は、無線ＬＡＮを用いてバックエンドストリーミングサーバ６０へのストリーミング開始要求をスマートフォン８０に送信する（Ｔ９）。スマートフォン８０は、このストリーミング開始要求を、モバイル通信（例えばＬＴＥ）を用いてバックエンドストリーミングサーバ６０に転送する（Ｔ１０）。バックエンドストリーミングサーバ６０は、このストリーミング開始要求を受けると、スマートフォン８０を介してウェアラブルカメラ１０にＡＣＫを返す（Ｔ１１）。このＡＣＫは、バックエンドストリーミングサーバ６０が手順Ｔ１０のストリーミング開始要求を正式に受信した旨を示す。スマートフォン８０は、無線ＬＡＮを用いてウェアラブルカメラ１０にＡＣＫを転送する（Ｔ１２）。
【０１１９】
この後、ウェアラブルカメラ１０は、無線ＬＡＮを用いてストリーミング映像データをスマートフォン８０に送信する（Ｔ１３）。スマートフォン８０は、このストリーミング映像データを、モバイル通信（例えばＬＴＥ）を用いてバックエンドストリーミングサーバ６０に転送する（Ｔ１４）。
【０１２０】
バックエンドストリーミングサーバ６０は、ストリーミング映像データを受信すると、ストレージ６８にストリーミング映像データを蓄積する（Ｔ１５）。バックエンドストリーミングサーバ６０は、バックエンドサーバ５０からの要求に応じて、あるいは自動的にストリーミング映像データをバックエンドサーバ５０に転送する。
【０１２１】
なお、バックエンドストリーミングサーバ６０が自動的にストリーミング映像データを転送するタイミングは、一定時間が経過した時、データ量が一定量に達した時、あるいはストリーミング映像データを受信した時をトリガとしてもよい。また、バックエンドサーバ５０にストリーミング映像データが転送されると、バックエンドストリーミングサーバ６０は、ストレージ６８に蓄積されたストリーミング映像データを削除してよい。これにより、ストレージ６８の空き容量を確保し、容量オーバーになることが避けられる。
【０１２２】
バックエンドストリーミングサーバ６０は、スマートフォン８０から転送されたストリーミング映像データを受信すると、ウェアラブルカメラ１０に向けてモバイル通信（例えばＬＴＥ）を用いてＡＣＫを返す（Ｔ１６）。このＡＣＫは、バックエンドストリーミングサーバ６０が手順Ｔ１４のストリーミング映像データを正式に受信した旨を示す。スマートフォン８０は、無線ＬＡＮを用いてこのＡＣＫをウェアラブルカメラ１０に転送する（Ｔ１７）。一方で、バックエンドサーバ５０は、バックエンドクライアント７５からの要求に応じて、あるいは自動的にストレージ５８に蓄積されたストリーミング映像データをバックエンドクライアント７５に転送する（Ｔ１８）。これにより、バックエンドクライアント７５は、例えばバックエンドクライアント７５のモニタ（不図示）を閲覧するユーザに対し、ウェアラブルカメラ１０からのストリーミング映像データを再生してリアルタイムで提示できる。以後、手順Ｔ１３〜Ｔ１８におけるストリーミング映像データの送信（「アップロード」ともいう）が繰り返される。スマートフォン８０は、ストリーミング映像データの転送を行う（所謂、中継する）ことで、ウェアラブルカメラ１０により撮像された撮像映像データ（例えば事件現場の証拠性ある撮像映像データ）を再生すること（プレイバック）が可能である。ここではストリーミングデータ単位ごとにＡＣＫを返しているが、データ伝送高速化のため一定量のストリーミングデータを受信した後にＡＣＫを返す方式や、送信確認は別プロトコルで行っても良い。例えば、ＲＴＰ（Realtime Transfer Protocol）でデータを送信し、ＲＴＣＰ（Realtime Transfer Control Protocol）で伝送状態確認を行うことも可能である。
【０１２３】
なお、手順Ｔ７〜Ｔ９，Ｔ１２，Ｔ１７を含む範囲ＰＲＥ２では、ウェアラブルカメラ１０とスマートフォン８０との間で無線ＬＡＮの通信が行われる。一方、手順Ｔ１０，Ｔ１１，Ｔ１４，Ｔ１６を含む範囲ＰＲＥ３では、スマートフォン８０とバックエンドストリーミングサーバ６０との間でＬＴＥ等のモバイル通信が行われる。
【０１２４】
ウェアラブルカメラ１０は、警察官３が通信モードスイッチＳＷ３を操作する（つまり、ストリーミング終了のボタン操作を行う）まで待機する。ストリーミング終了のボタン操作がされると（Ｔ１９）、ウェアラブルカメラ１０は、スマートフォン８０に対し、ウェアラブルカメラ１０とスマートフォン８０との間の通信形態を、無線ＬＡＮ（ＷＬＡＮ）からＢＬＥ通信に切り替える要求を行う（Ｔ２０）。スマートフォン８０は、この切替要求を受けると、ＡＣＫを返す（Ｔ２１）。このＡＣＫは、スマートフォン８０が手順Ｔ２０の切替要求を正式に受信した旨を示す。なお、手順Ｔ２０，Ｔ２１を含む範囲ＰＲＥ２においても、ウェアラブルカメラ１０とスマートフォン８０との間では無線ＬＡＮの通信が行われる。
【０１２５】
ウェアラブルカメラ１０は、スマートフォン８０との通信を、無線ＬＡＮからＢＬＥ通信に切り替える（Ｔ２２）。また、スマートフォン８０も、同様にウェアラブルカメラ１０との通信を、無線ＬＡＮからＢＬＥ通信に切り替える（Ｔ２３）。更に、スマートフォン８０は、ＢＬＥ通信への切替に応じてテザリングを終了し（Ｔ２４）、ウェアラブルカメラ１０との間を、ＢＬＥを用いて通信可能とする。
【０１２６】
テザリング終了後、ウェアラブルカメラ１０は、ＢＬＥ接続確認要求をスマートフォン８０に送信する（Ｔ２５）。スマートフォン８０は、このＢＬＥ接続確認要求を受信すると、ＡＣＫを返す（Ｔ２６）。このＡＣＫは、スマートフォン８０が手順Ｔ２５のＢＬＥ接続確認要求を正式に受信した旨を示す。なお、手順Ｔ２５，Ｔ２６を含む範囲ＰＲＥ４では、ウェアラブルカメラ１０とスマートフォン８０との間でＢＬＥ通信が行われる。
【０１２７】
このように、警察官３の意思によりウェアラブルカメラ１０を操作することを契機として、ウェアラブルカメラ１０がスマートフォン８０を介してバックエンドストリーミングサーバ６０にストリーミング映像データを送信（アップロード）する場合、ＢＬＥ通信では低速でリアルタイムに送信することは難しかった。しかし、本実施形態のウェアラブルカメラ１０は、ストリーミング映像データを警察署４にアップロードする際、スマートフォン８０との間の通信形態を、ＢＬＥ通信から無線ＬＡＮに切り替えることで、高速でリアルタイムな送信が可能となる。一方、無線ＬＡＮの場合、消費電力が多いので、通常時（例えば、ウェアラブルカメラ１０がストリーミング映像データを送信していない時）、ウェアラブルカメラ１０は、消費電力の低いＢＬＥ通信を用いてスマートフォン８０と通信を行い、無用の電力消費の増大を抑えることができる。
【０１２８】
図９は、第１の実施形態における、バックエンドクライアント７５からのストリーミング開始操作に応じて開始されるストリーミング動作手順の一例を詳細に説明するシーケンス図である。ここで、バックエンドクライアント７５の入力部（不図示）に対して行われる操作は、ストリーミング開始の操作、又はストリーミング終了の操作に相当する。なお、バックエンドクライアント７５は、上述したストリーミング開始やストリーミング終了の操作の代わりに、ストリーミング開始やストリーミング終了を指示する専用ボタンを備え、これらの専用ボタンの押下の検知により、ストリーミング開始やストリーミング終了を指示してもよい。
【０１２９】
バックエンドクライアント７５は、ユーザによるストリーミング開始の操作を受けると（Ｔ５１）、バックエンドサーバ５０にストリーミング開始の指示を送信する（Ｔ５２）。バックエンドサーバ５０は、ストリーミング開始の指示を受けると、このＡＣＫをバックエンドクライアント７５に返す（Ｔ５３）。このＡＣＫは、バックエンドサーバ５０が手順Ｔ５２の指示を正式に受信した旨を示す。バックエンドサーバ５０は、バックエンドストリーミングサーバ６０に、スマートフォン８０へのストリーミング開始要求の送信を指示する。バックエンドストリーミングサーバ６０は、スマートフォン８０にストリーミング開始要求を、ネットワークＮＷを介したモバイル通信を用いて送信する（Ｔ５４）。
【０１３０】
スマートフォン８０は、ストリーミング開始要求を受けると、ウェアラブルカメラ１０に対し、ウェアラブルカメラ１０とスマートフォン８０との間の通信形態をＢＬＥ通信から無線ＬＡＮに切り替える要求を行う（Ｔ５５）。ウェアラブルカメラ１０は、この切替要求を受けると、ＡＣＫを返す（Ｔ５６）。このＡＣＫは、ウェアラブルカメラ１０が手順Ｔ５５の切替要求を正式に受信した旨を示す。手順Ｔ５５，Ｔ５６を含む範囲ＰＲＥ５では、ウェアラブルカメラ１０とスマートフォン８０との間ではＢＬＥ通信が行われる。
【０１３１】
スマートフォン８０は、ウェアラブルカメラ１０からのＡＣＫを、ネットワークＮＷを介したモバイル通信を用いてバックエンドストリーミングサーバ６０に返送する（Ｔ５７）。バックエンドストリーミングサーバ６０は、ウェアラブルカメラ１０からのＡＣＫをバックエンドサーバ５０に出力する。バックエンドサーバ５０は、バックエンドストリーミングサーバ６０に返送されたＡＣＫをバックエンドクライアント７５に転送する（Ｔ５８）。
【０１３２】
ウェアラブルカメラ１０は、手順Ｔ５５の切替要求に応じて、スマートフォン８０との間の通信形態を、ＢＬＥ通信から無線ＬＡＮに切り替える（Ｔ５９）。また、スマートフォン８０も、同様にウェアラブルカメラ１０との間の通信形態を、ＢＬＥ通信から無線ＬＡＮに切り替える（Ｔ６０）。スマートフォン８０は、無線ＬＡＮへの切替に応じてテザリングを開始し（Ｔ６１）、ウェアラブルカメラ１０をネットワークＮＷに接続するための無線ＬＡＮアクセスポイントとして機能する。
【０１３３】
テザリング開始後、スマートフォン８０は、無線ＬＡＮ接続確認要求をウェアラブルカメラ１０に送信する（Ｔ６２）。ウェアラブルカメラ１０は、この無線ＬＡＮ接続確認要求を受けると、スマートフォン８０にＡＣＫを返す（Ｔ６３）。このＡＣＫは、ウェアラブルカメラ１０が手順Ｔ６２の無線ＬＡＮ接続確認要求を正式に受信し、かつスマートフォン８０との間で無線ＬＡＮの通信形態を用いた接続ができていることの応答を示す。スマートフォン８０は、このＡＣＫを受けると、ネットワークＮＷを介したモバイル通信を用いてバックエンドサーバ５０に転送する（Ｔ６４）。
【０１３４】
ウェアラブルカメラ１０は、無線ＬＡＮを用いてバックエンドストリーミングサーバ６０へのストリーミング開始要求をスマートフォン８０に送信する（Ｔ６５）。スマートフォン８０は、このストリーミング開始要求を、モバイル通信（例えばＬＴＥ）を用いてバックエンドストリーミングサーバ６０に転送する（Ｔ６６）。バックエンドストリーミングサーバ６０は、このストリーミング開始要求を受けると、スマートフォン８０にＡＣＫを返す（Ｔ６７）。このＡＣＫは、バックエンドストリーミングサーバ６０が手順Ｔ６５のストリーミング開始要求を正式に受信した旨を示す。スマートフォン８０は、このＡＣＫを中継し、無線ＬＡＮを用いてウェアラブルカメラ１０に転送する（Ｔ６８）。
【０１３５】
この後、ウェアラブルカメラ１０は、無線ＬＡＮを用いてストリーミング映像データをスマートフォン８０に送信する（Ｔ６９）。スマートフォン８０は、このストリーミング映像データを、モバイル通信（例えばＬＴＥ）を用いてバックエンドストリーミングサーバ６０に転送する（Ｔ７０）。
【０１３６】
バックエンドストリーミングサーバ６０は、ストリーミング映像データを受信すると、ストレージ６８にストリーミング映像データを蓄積する（Ｔ７１）。バックエンドストリーミングサーバ６０は、このストリーミング映像データをバックエンドサーバ５０からの要求に応じて、あるいは自動的にバックエンドサーバ５０に転送する。
【０１３７】
なお、自動的にストリーミング映像データを転送するタイミングは、一定時間が経過した時、データ量が一定量に達した時、あるいはストリーミング映像データを受信した時をトリガとしてもよい。また、バックエンドサーバ５０にストリーミング映像データが転送されると、バックエンドストリーミングサーバ６０は、ストレージ６８に蓄積されたストリーミング映像データを削除してよい。これにより、ストレージ６８の空き容量を確保し、容量オーバーになることが避けられる。
【０１３８】
バックエンドストリーミングサーバ６０は、スマートフォン８０から転送されたストリーミング映像データを受信すると、ウェアラブルカメラ１０に向けてモバイル通信（例えばＬＴＥ）を用いてＡＣＫを返す（Ｔ７２）。このＡＣＫは、バックエンドストリーミングサーバ６０が手順Ｔ７０のストリーミング映像データを正式に受信した旨を示す。スマートフォン８０は、無線ＬＡＮを用いてこのＡＣＫをウェアラブルカメラ１０に転送する（Ｔ７３）。一方で、バックエンドサーバ５０は、バックエンドクライアント７５からの要求に応じて、あるいは自動的にストレージ５８に蓄積されたストリーミング映像データをバックエンドクライアント７５に転送する（Ｔ７４）。これにより、バックエンドクライアント７５は、例えばバックエンドクライアント７５のモニタ（不図示）を閲覧するユーザに対し、ウェアラブルカメラ１０からのストリーミング映像データを再生してリアルタイムで提示できる。以後、手順Ｔ６９〜Ｔ７４におけるストリーミング映像データの送信（アップロード）が繰り返される。スマートフォン８０は、ストリーミング映像データの転送（中継）を行うことで、ウェアラブルカメラ１０により撮像された撮像映像データ（例えば事件現場の証拠性ある撮像映像データ）を再生すること（プレイバック）が可能である。
【０１３９】
バックエンドクライアント７５は、ユーザによるストリーミング終了の操作を受けると（Ｔ７５）、バックエンドサーバ５０にストリーミング終了の指示を送信する（Ｔ７６）。バックエンドサーバ５０は、ストリーミング終了の指示を受けると、このＡＣＫをバックエンドクライアント７５に返す（Ｔ７７）。このＡＣＫは、バックエンドサーバ５０が手順Ｔ７６の指示を正式に受信した旨を示す。バックエンドサーバ５０は、バックエンドストリーミングサーバ６０に、スマートフォン８０へのストリーミング終了要求の送信を指示する。バックエンドストリーミングサーバ６０は、スマートフォン８０にストリーミング終了要求を、ネットワークＮＷを介したモバイル通信を用いて送信する（Ｔ７８）。
【０１４０】
スマートフォン８０は、ストリーミング終了要求を受けると、このＡＣＫをバックエンドサーバ５０に返す（Ｔ７９）。このＡＣＫは、スマートフォン８０が手順Ｔ７８のストリーミング終了要求を正式に受信した旨を示す。更に、スマートフォン８０は、ウェアラブルカメラ１０に対し、ウェアラブルカメラ１０とスマートフォン８０との間の通信形態を無線ＬＡＮからＢＬＥ通信に切り替える要求を行う（Ｔ８０）。ウェアラブルカメラ１０は、この切替要求を受けると、ＡＣＫを返す（Ｔ８１）。このＡＣＫは、ウェアラブルカメラ１０が手順Ｔ８０の切替要求を正式に受信した旨を示す。
【０１４１】
なお、手順Ｔ６２，Ｔ６３，Ｔ６５，Ｔ６８，Ｔ６９，Ｔ７３，Ｔ８０，Ｔ８１を含む範囲ＰＲＥ７では、ウェアラブルカメラ１０とスマートフォン８０との間で無線ＬＡＮを用いた通信が行われる。また、手順Ｔ５４，Ｔ５５，Ｔ６４，Ｔ６６，Ｔ６７，Ｔ７０，Ｔ７２，Ｔ７８，Ｔ７９を含む範囲ＰＲＥ６では、スマートフォン８０とバックエンドストリーミングサーバ６０との間でモバイル通信（例えばＬＴＥ）が行われる。
【０１４２】
ウェアラブルカメラ１０は、手順Ｔ８０の切替要求に応じて、スマートフォン８０との間の通信形態を無線ＬＡＮからＢＬＥ通信に切り替える（Ｔ８２）。また、スマートフォン８０も、同様にウェアラブルカメラ１０との間の通信形態を無線ＬＡＮからＢＬＥ通信に切り替える（Ｔ８３）。スマートフォン８０は、ＢＬＥ通信への切替に応じてテザリングを終了し（Ｔ８４）、ウェアラブルカメラ１０との間を、ＢＬＥを用いて通信する。
【０１４３】
テザリング終了後、ウェアラブルカメラ１０は、ＢＬＥ接続確認要求をスマートフォン８０に送信する（Ｔ８５）。ＢＬＥ接続確認要求は、通信相手に対して、ＢＬＥの通信形態を用いた接続ができていることの確認を求めるためのリクエストであり、以下同様である。スマートフォン８０は、このＢＬＥ接続確認要求を受けると、ウェアラブルカメラ１０にＡＣＫを返す（Ｔ８６）。このＡＣＫは、スマートフォン８０が手順Ｔ８５のＢＬＥ接続確認要求を正式に受信し、かつウェアラブルカメラ１０との間でＢＬＥの通信形態を用いた接続ができていることの応答を示す。手順Ｔ８５，Ｔ８６を含む範囲ＰＲＥ８では、ウェアラブルカメラ１０とスマートフォン８０との間ではＢＬＥで通信が行われる。
【０１４４】
このように、警察官３の意思ではなく警察署４の司令官等の命令により、ウェアラブルカメラ１０がスマートフォン８０を介してバックエンドストリーミングサーバ６０にストリーミング映像データを送信（アップロード）する場合、ＢＬＥ通信では低速でリアルタイムに送信することは難しかった。しかし、本実施形態のウェアラブルカメラ１０は、ストリーミング映像データを警察署４にアップロードする際、ＢＬＥ通信から無線ＬＡＮに切り替えることで、高速にリアルタイムな送信が可能となる。一方、無線ＬＡＮの場合、消費電力が多いので、通常時（例えば、ウェアラブルカメラ１０がストリーミング映像データを送信していない時）、ウェアラブルカメラ１０は、消費電力の低いＢＬＥ通信でバックエンドストリーミングサーバ６０と通信を行い、電力消費を抑える。
【０１４５】
図１０は、第１の実施形態におけるウェアラブルカメラ１０のストリーミング配信の動作手順の一例を詳細に説明するフローチャートである。ウェアラブルカメラ１０のＭＣＵ１９は、ストリーミング開始要求があるまで待機する（Ｓ１）。この処理は、図８の手順Ｔ１におけるストリーミング開始ボタンの押下の有無、あるいは図９の手順Ｔ５５におけるスマートフォン８０からの無線ＬＡＮ切替要求の有無に相当する。
【０１４６】
ストリーミング開始要求があった場合（Ｓ１、ＹＥＳ）、ＭＣＵ１９は、スマートフォン８０との間の通信形態をＢＬＥ通信部２１ＡによるＢＬＥ通信からＷＬＡＮ通信部２１Ｂによる無線ＬＡＮに切り替える要求を行う（Ｓ２）。ＭＣＵ１９は、この通信の切り替えが完了するまで待機する（Ｓ３）。ステップＳ２，Ｓ３の各処理は、図８の手順Ｔ４あるいは図９の手順Ｔ５９に相当する。
【０１４７】
通信の切り替えが完了すると（Ｓ３、ＹＥＳ）、ＭＣＵ１９は、スマートフォン８０との間で、ＷＬＡＮ通信部２１Ｂによる無線ＬＡＮを用いて通信を開始する（Ｓ４）。ＭＣＵ１９は、スマートフォン８０に対し、ストリーミング映像データを送信する（Ｓ５）。ステップＳ４，Ｓ５の各処理は、図８の手順Ｔ９，Ｔ１３、あるいは図９の手順Ｔ６５，手順Ｔ６９に相当する。
【０１４８】
ＭＣＵ１９は、ストリーミング終了要求があったか否かを判別する（Ｓ６）。この処理は、図８の手順Ｔ１９におけるストリーミング終了ボタンの押下の有無、あるいは図９の手順Ｔ８０におけるスマートフォン８０からのＢＬＥ切替要求の有無に相当する。
【０１４９】
ストリーミング終了要求が無い場合（Ｓ６、ＮＯ）、ＭＣＵ１９はステップＳ６の処理を繰り返す。一方、ストリーミング終了要求があった場合（Ｓ６、ＹＥＳ）、ＭＣＵ１９の処理はステップＳ１に戻る。
【０１５０】
図１１は、第１の実施形態におけるスマートフォン８０のストリーミング配信の動作手順の一例を詳細に説明するフローチャートである。スマートフォン８０のＣＰＵ８１は、ＢＬＥ通信から無線ＬＡＮへの切り替え要求があるまで待機する（Ｓ１１）。この処理は、図８の手順Ｔ２あるいは図９の手順Ｔ５４に相当する。
【０１５１】
ＣＰＵ８１は、ウェアラブルカメラ１０との間の通信形態を、ＢＬＥ通信部２１ＡによるＢＬＥ通信からＷＬＡＮ通信部２１Ｂによる無線ＬＡＮに切り替える（Ｓ１２）。この処理は図８の手順Ｔ５あるいは図９の手順Ｔ６０に相当する。ＣＰＵ８１は、無線ＬＡＮへの切り替えに応じてテザリングを開始し（Ｔ１３）、ウェアラブルカメラ１０をネットワークＮＷに接続するための無線ＬＡＮアクセスポイントとして機能する。この処理は図８の手順Ｔ６あるいは図９の手順Ｔ６１に相当する。
【０１５２】
テザリング開始後、ＣＰＵ８１は、無線ＬＡＮを用いてウェアラブルカメラ１０から送信されたストリーミング映像データを、モバイル通信部８６によるモバイル通信でバックエンドストリーミングサーバ６０に転送する（Ｓ１４）。この処理は、図８の手順Ｔ１４あるいは図９の手順Ｔ７０に相当する。
【０１５３】
ＣＰＵ８１は、無線ＬＡＮからＢＬＥ通信への切り替え要求があるか否かを判別する（Ｓ１５）。無線ＬＡＮからＢＬＥ通信への切り替え要求は、図８の手順Ｔ２０あるいは図９の手順Ｔ８０に相当する。この切り替え要求が無い場合（Ｓ１５、ＮＯ）、ＣＰＵ８１の処理はステップＳ１４に戻り、ＣＰＵ８１は、ストリーミング映像データの転送を続ける。
【０１５４】
一方、無線ＬＡＮからＢＬＥ通信への切り替え要求があった場合（Ｓ１５、ＹＥＳ）、ＣＰＵ８１は、ＷＬＡＮ通信部８５による無線ＬＡＮの通信からＢＬＥ通信部８４によるＢＬＥ通信に切り替える（Ｓ１６）。この処理は図８の手順Ｔ２３あるいは図９の手順Ｔ８３に相当する。この後、ＣＰＵ８１はステップＳ１１の処理に戻る。
【０１５５】
以上により、第１の実施形態のウェアラブルカメラシステム５は、警察官３の装着又は保持が可能なウェアラブルカメラ１０及びスマートフォン８０（通信端末）と、スマートフォン８０とネットワークＮＷを介して通信可能に接続されたバックエンドストリーミングサーバ６０とを含む。ウェアラブルカメラ１０は、スマートフォン８０との間でＢＬＥ（第１通信形態）により接続する。ウェアラブルカメラ１０は、撮像エリアを撮像した現場映像のデータを、スマートフォン８０を介してバックエンドストリーミングサーバ６０に送信する際、ＢＬＥと異なる無線ＬＡＮ（第２通信形態）に切り替えて現場映像のデータをスマートフォン８０に送信する。スマートフォン８０は、ウェアラブルカメラ１０における無線ＬＡＮへの切り替えに連動して、ウェアラブルカメラ１０との間をＢＬＥ通信から無線ＬＡＮに切り替え、無線ＬＡＮによりウェアラブルカメラ１０から送信された現場映像のデータをバックエンドストリーミングサーバ６０に転送する。
【０１５６】
これにより、ウェアラブルカメラ１０は、ストリーミング映像データのアップロードをしない時には無線ＬＡＮではなくＢＬＥによりスマートフォン８０と通信するだけであり、ウェアラブルカメラ１０のバッテリの消費の無用な増大を抑制できる。一方で、ウェアラブルカメラ１０は、ストリーミング映像データのアップロードをする時にはＢＬＥから無線ＬＡＮに通信形態を切り替えるので、無線ＬＡＮを用いてリアルタイムで現場映像のデータをバックエンドストリーミングサーバ６０に送信可能であり、警察官３の利便性を向上できる。
【０１５７】
また、ウェアラブルカメラ１０は、警察官３がスライド操作可能な通信モードスイッチＳＷ３（ボタン）を有し、通信モードスイッチＳＷ３が操作された場合、ＢＬＥ通信から無線ＬＡＮに切り替える。これにより、事件現場にいる警察官が現場映像を送信する必要があると判断した場合、即座に現場映像のデータをバックエンドストリーミングサーバに送信することができる。従って、事件現場の状況を速やかに警察署４内の警察官に伝えることができる。
【０１５８】
また、ウェアラブルカメラ１０は、バックエンドストリーミングサーバ６０からの接続要求に応じて、ＢＬＥ通信から無線ＬＡＮに切り替える。これにより、事件現場にいる警察官が操作できない場合、また、警察署内の警察官が事件現場の状況が知りたいと判断した場合、現場映像の送信操作を遠隔で行うことができる。従って、ウェアラブルカメラの利便性が高まる。
【０１５９】
また、スマートフォン８０は、ＢＬＥ通信及び無線ＬＡＮと異なるＬＴＥ等のモバイル通信（第３通信形態）により現場映像のデータをバックエンドストリーミングサーバ６０に転送する。これにより、ウェアラブルカメラ１０は、スマートフォン８０が無線ＬＡＮアクセスポイントとなり、モバイル通信を使用してインターネット等のネットワークＮＷに接続することができる。従って、ネットワークＮＷに接続されたバックエンドストリーミングサーバ６０が遠隔地にあっても、ウェアラブルカメラ１０とバックエンドストリーミングサーバ６０との間で高速のデータ通信が可能となる。
【０１６０】
また、ウェアラブルカメラ１０が現場映像のデータをスマートフォン８０に送信し終え、スマートフォン８０が現場映像のデータをバックエンドストリーミングサーバ６０に転送し終えると、ウェアラブルカメラ１０は、無線ＬＡＮからＢＬＥ通信に切り替え、スマートフォン８０は、無線ＬＡＮからＢＬＥ通信に切り替える。これにより、バックエンドストリーミングサーバ６０への現場映像のデータの送信が終了すると、ウェアラブルカメラ１０及びスマートフォン８０間の通信を無線ＬＡＮからＢＬＥ通信に自動的に切り替えることができる。従って、ウェアラブルカメラ１０のバッテリの消費量を元通りに抑えることができる。
【０１６１】
（第２の実施形態の内容に至る経緯）
例えば警察官がパトロールや事件現場等から警察署に戻った時、警察署内のバックエンドサーバに、ウェアラブルカメラ（ＢＷＣ）に記録されている映像データ（例えばパトロール中に撮像された映像、事件現場又はその周辺の証拠となり得る映像）を転送することが義務付けられていることがある。
【０１６２】
しかし、警察署に戻ると、警察官は、気を緩めてしまい、うっかりして映像データを転送する操作を忘れてしまうことが多々あった。また、警察官の中には、ウェアラブルカメラに記録された映像データを警察署内のバックエンドサーバに転送する操作を行うことができない、あるいはそのような煩雑な操作を嫌う者がいた。一方、そのような操作をできないあるいは嫌う警察官であっても、ウェアラブルカメラを集合充電台に載置して充電する作業だけは、煩雑な作業でもないので忘れずに行うことが多い。
【０１６３】
そこで、第２の実施形態では、上述した警察署内の業務運用の特殊性に鑑みて、警察官が、特別な操作を行うことなく、ウェアラブルカメラに記録されている映像データをバックエンドサーバに転送することができるウェアラブルカメラシステム及び通信制御方法の例を説明する。
【０１６４】
（第２の実施形態）
第１の実施形態では、ウェアラブルカメラ１０からバックエンドストリーミングサーバ６０にストリーミング映像データをリアルタイムに転送し、バックエンドストリーミングサーバ６０からバックエンドサーバ５０にストリーミング映像データを出力する場合を示した。第２の実施形態では、例えば警察官３が警察署４内に戻り、パトロール等で使用していたウェアラブルカメラ１０を集合充電台に載置（セット）した時に、ウェアラブルカメラ１０に記録されている撮像映像データをバックエンドサーバ５０に自動的に転送する場合を示す。
【０１６５】
第２の実施形態のウェアラブルカメラシステムは、第１の実施形態とほぼ同一の構成を有する。第１の実施形態と同一の構成要素については同一の符号を用いることで、その説明を省略する。
【０１６６】
図１２は、第２の実施形態のウェアラブルカメラ１０が載置（セット）される集合充電台９０の外観例を示す斜視図である。集合充電台９０は、装着された個々のウェアラブルカメラ１０の電源を充電するとともに、ウェアラブルカメラ１０との間で有線通信を行い、ウェアラブルカメラ１０に記憶された撮像映像データ及び音声データをバックエンドサーバ５０に送信する機能を有する。また、集合充電台９０は、集合充電台９０とＵＳＢ（Universal Serial Bus）ケーブルで接続されたバックエンドクライアント７５を介して、バックエンドサーバ５０と接続される。
【０１６７】
集合充電台９０は、警察官３の制服に装着された（又は警察官３によって所持された）多くのウェアラブルカメラ１０が載置されるものであり、略箱形の筐体９０Ａを有する。筐体９０Ａの上面には、複数のウェアラブルカメラ１０が取り付け可能な突起９１が形成されている。ウェアラブルカメラ１０が集合充電台９０に載置（セット）されると、突起９１は、ウェアラブルカメラ１０の筐体１０Ａの裏面に形成された凹部１０ｙ（図１３参照）と嵌合する。
【０１６８】
図１３は、各実施形態のウェアラブルカメラ１０の筐体１０Ａの裏面の一例を示す斜視図である。ウェアラブルカメラ１０の筐体１０Ａの裏面には、ウェアラブルカメラ１０が集合充電台９０に載置（セット）された場合、集合充電台９０の突起９１が嵌合される凹部１０ｙが形成されている。凹部１０ｙの底面には、コンタクトターミナル２３が配置されている。
【０１６９】
コンタクトターミナル２３は、充電端子「Ｖ＋」、検知端子「ＣＯＮ．ＤＥＴ」、ＵＳＢインターフェースのデータ端子「Ｄ−」，「Ｄ＋」、及びグランド端子「ＧＮＤ」を有する。充電端子Ｖ＋には、ウェアラブルカメラ１０を充電するための充電電圧が印加される。検知端子ＣＯＮ．ＤＥＴには、電圧変化を検出するための端子である。ウェアラブルカメラ１０が集合充電台９０にセットされると、検知端子ＣＯＮ．ＤＥＴには、電圧変化が生じる。データ端子Ｄ−，Ｄ＋は、ウェアラブルカメラ１０に記録された映像データ等をバックエンドサーバ５０に送信するための端子である。
【０１７０】
集合充電台９０の筐体９０Ａの上面に設けられた突起９１の先端部には、ウェアラブルカメラ１０のコンタクトターミナル２３と各端子が同配列に配置された、コンタクトターミナル９２が設けられている。ウェアラブルカメラ１０の凹部１０ｙが集合充電台９０の突起９１と嵌合すると、ウェアラブルカメラ１０のコンタクトターミナル２３は、集合充電台９０のコンタクトターミナル９２と各端子間で接触する。
【０１７１】
警察官３が、ウェアラブルカメラ１０を集合充電台９０に載置（セット）すると、つまり、ウェアラブルカメラ１０の凹部１０ｙを集合充電台９０の突起９１に嵌合させると、ウェアラブルカメラ１０のコンタクトターミナル２３が集合充電台９０のコンタクトターミナル９２と接触する。これにより、ウェアラブルカメラ１０の検知端子ＣＯＮ．ＤＥＴに電圧変化が生じる。また、ウェアラブルカメラ１０のコンタクトターミナル２３と集合充電台９０のコンタクトターミナル９２とが接続されることで、データ端子Ｄ−，Ｄ＋を通じて、ウェアラブルカメラ１０とバックエンドサーバ５０との間でデータ通信が可能となる。
【０１７２】
第２の実施形態におけるウェアラブルカメラシステム５の動作を示す。
【０１７３】
図１４は、第２の実施形態におけるウェアラブルカメラ１０からのデータ転送動作の第１例を詳細に説明するシーケンス図である。例えば、警察官３が巡回パトロール又は事件現場から警察署４に戻り、ウェアラブルカメラ１０を集合充電台９０に載置（セット）する。この場合、ウェアラブルカメラ１０のコンタクトターミナル２３に配置された検知端子ＣＯＮ．ＤＥＴが、集合充電台９０のコンタクトターミナル９２に配置された検知端子ＣＯＮ．ＤＥＴと接触する。ウェアラブルカメラ１０のＭＣＵ１９は、ＧＰＩＯ１２を介して検知端子ＣＯＮ．ＤＥＴの電圧変化を検出し、集合充電台９０にウェアラブルカメラ１０がセットされたと判断する（Ｔ１０１）。
【０１７４】
ウェアラブルカメラ１０は、スマートフォン８０に対し、ウェアラブルカメラ１０とのＢＬＥ接続の中断を要求する（Ｔ１０２）。スマートフォン８０は、この中断要求を受けると、ＡＣＫをウェアラブルカメラ１０に返す（Ｔ１０３）。このＡＣＫは、スマートフォン８０が手順Ｔ１０２の中断要求を正式に受信した旨を示す。なお、手順Ｔ１０２，Ｔ１０３を含む範囲ＰＲＥ１１では、ウェアラブルカメラ１０とスマートフォン８０との間ではＢＬＥ通信が行われる。スマートフォン８０は、ＢＬＥ通信部８４によるＢＬＥ通信を用いた、ウェアラブルカメラ１０との接続を中断する（Ｔ１０４）。
【０１７５】
ウェアラブルカメラ１０は、手順Ｔ１０３において返送されたＡＣＫの受信により、スマートフォン８０とのＢＬＥ通信から無線ＬＡＮによる通信に切り替える（Ｔ１０５）。ウェアラブルカメラ１０は、バックエンドサーバ５０に対し、例えば警察署４内で利用可能な無線ＬＡＮを用いた接続要求を行う（Ｔ１０６）。バックエンドサーバ５０は、この接続要求を受けると、ウェアラブルカメラ１０にＡＣＫを返す（Ｔ１０７）。このＡＣＫは、バックエンドサーバ５０が手順Ｔ１０６の接続要求を正式に受信した旨を示す。これにより、ウェアラブルカメラ１０とバックエンドサーバ５０とが無線ＬＡＮで接続される。
【０１７６】
ウェアラブルカメラ１０のＭＣＵ１９は、記憶部１５に記憶されたストリーミング映像データを読み出し、データアップロード処理を開始する（Ｔ１０８）。ウェアラブルカメラ１０は、１つ目のデータファイルをアップロードする（Ｔ１０９）。バックエンドサーバ５０は、１つ目のデータファイルを受信すると、ウェアラブルカメラ１０にＡＣＫを返す（Ｔ１１０）。このＡＣＫは、バックエンドサーバ５０が手順Ｔ１０９のデータファイルを正式に受信した旨を示す。同様に、ウェアラブルカメラ１０は、２つ目のデータファイルをアップロードする（Ｔ１１１）。バックエンドサーバ５０は、２つ目のデータファイルを受信すると、ウェアラブルカメラ１０にＡＣＫを返す（Ｔ１１２）。このＡＣＫは、バックエンドサーバ５０が手順Ｔ１１１のデータファイルを正式に受信した旨を示す。
【０１７７】
ウェアラブルカメラ１０は、全てのデータファイルのアップロードが完了すると、データアップロード処理を終了する（Ｔ１１３）。ここで、このデータアップロード処理では、例えば、ウェアラブルカメラ１０のＭＣＵ１９は、ＷＬＡＮ通信部２１Ｂによる無線ＬＡＮを用いて、１つのデータファイルをアップロードすると、記憶部１５に記憶された、アップロード済みのデータファイルを削除する。１つのデータファイルが削除されると、記憶部１５の空き容量が増える。全てのデータファィルがアップロード済みとなって削除されると、ＭＣＵ１９はデータアップロード処理終了と判断する。
【０１７８】
なお、ウェアラブルカメラ１０は、最後にアップロードされるデータファイルにフラグを付けておき、このデータファイルがアップロードされた時点で、データファイルのアップロード終了を判断してもよい。この場合、データファイルの削除が不要となる。なお、手順Ｔ１０６，Ｔ１０７，Ｔ１０９，Ｔ１１０，Ｔ１１１，Ｔ１１２を含む範囲ＰＲＥ１２では、ウェアラブルカメラ１０とバックエンドサーバ５０との間では、例えば警察署４内で利用可能な無線ＬＡＮによる通信が行われる。
【０１７９】
データファイルのアップロード終了後、ウェアラブルカメラ１０は、コンタクトターミナル２３の充電端子Ｖ＋及びグランド端子ＧＮＤを通じて供給される充電電圧により充電され、充電が完了するまで待機する（Ｔ１１４）。
【０１８０】
充電が完了し、警察官３が集合充電台９０にセットされたウェアラブルカメラ１０を取り外すと、ウェアラブルカメラ１０のコンタクトターミナル２３の検知端子ＣＯＮ．ＤＥＴが集合充電台９０のコンタクトターミナル９２の検知端子ＣＯＮ．ＤＥＴとの接触から開放される。ＭＣＵ１９は、ＧＰＩＯ１２を介して検知端子ＣＯＮ．ＤＥＴの電圧変化を検出し、ウェアラブルカメラ１０が集合充電台９０から取り外されたと判断する（Ｔ１１５）。
【０１８１】
ウェアラブルカメラ１０は、無線ＬＡＮからＢＬＥ通信に切り替える（Ｔ１１６）。更に、ウェアラブルカメラ１０は、スマートフォン８０に対し、ＢＷＣとのＢＬＥ接続の再開を要求する（Ｔ１１７）。スマートフォン８０は、この接続再開要求を受けると、ＡＣＫをウェアラブルカメラ１０に返す（Ｔ１１８）。このＡＣＫは、スマートフォン８０が手順Ｔ１１７のＢＬＥ接続再開要求（つまり、ウェアラブルカメラ１０とスマートフォン８０との間の通信の中断を再開に戻すことを求めるリクエストのこと。以下同様。）を正式に受信した旨を示す。スマートフォン８０は、ＢＬＥ通信部８４による近距離無線通信を用いた、ウェアラブルカメラ１０との接続を再開する（Ｔ１１９）。
【０１８２】
ＢＬＥ通信の再開後、スマートフォン８０は、ＢＬＥ接続確認要求をウェアラブルカメラ１０に送信する（Ｔ１２０）。ウェアラブルカメラ１０は、この確認要求を受けると、スマートフォン８０にＡＣＫを返す（Ｔ１２１）。このＡＣＫは、ウェアラブルカメラ１０が手順Ｔ１２０のＢＬＥ接続再開要求を正式に受信した旨を示す。これにより、例えば警察官３が集合充電台９０に載置（セット）されたウェアラブルカメラ１０を取り外して、警察署４を出て現場に向かう際、ウェアラブルカメラ１０とスマートフォン８０の間でＢＬＥ通信が行われる。なお、手順Ｔ１１７，Ｔ１１８，Ｔ１２０，Ｔ１２１を含む範囲ＰＲＥ１３では、ウェアラブルカメラ１０とスマートフォン８０との間ではＢＬＥ通信が行われる。
【０１８３】
図１５は、第２の実施形態におけるウェアラブルカメラ１０からのデータ転送動作の第２例を詳細に説明するシーケンス図である。第１のデータ転送では、ウェアラブルカメラ１０が集合充電台９０に載置（セット）された後、ウェアラブルカメラ１０からバックエンドサーバ５０に対し、接続要求が無線ＬＡＮで行われた。第２のデータ転送では、バックエンドサーバ５０からウェアラブルカメラ１０に対し、接続要求が無線ＬＡＮで行われる場合を示す。第１のデータ転送と同じ手順について同一の符号を付すことで、その説明を省略する。
【０１８４】
バックエンドサーバ５０は、例えば無線ＬＡＮアクセスポイント６３Ｐから、定期的に無線ＬＡＮアクセスポイント６３Ｐに接続される機器情報を取得している。新たに無線ＬＡＮアクセスポイント６３Ｐにウェアラブルカメラ１０が接続された場合、バックエンドサーバ５０は、この機器情報を基に、新たに接続されたウェアラブルカメラ１０に対し、接続要求を行う（Ｔ１０６Ａ）。ウェアラブルカメラ１０は、この接続要求を受けると、バックエンドサーバ５０にＡＣＫを返す（Ｔ１０７Ａ）。このＡＣＫは、ウェアラブルカメラ１０が手順Ｔ１０６Ａの接続要求を正式に受信した旨を示す。これにより、ウェアラブルカメラ１０とバックエンドサーバ５０とが無線ＬＡＮで接続される。
【０１８５】
ウェアラブルカメラ１０は、バックエンドサーバ５０に対し、データアップロード処理を開始する（Ｔ１０８Ａ）。これ以降の動作は、図１４を参照して説明した第１のデータ転送と同じであるため、説明を割愛する。なお、手順Ｔ１０６Ａ，Ｔ１０７Ａを含む範囲ＰＲＥ１４では、ウェアラブルカメラ１０とバックエンドサーバ５０との間では無線ＬＡＮによる通信が行われる。
【０１８６】
以上により、第２の実施形態のウェアラブルカメラシステム５は、警察官３の装着又は保持が可能なウェアラブルカメラ１０及びスマートフォン８０（通信端末）と、スマートフォン８０とネットワークＮＷを介して通信可能に接続されたバックエンドストリーミングサーバ６０とを含む。ウェアラブルカメラ１０は、集合充電台９０に載置されたことを検知する。ウェアラブルカメラ１０は、集合充電台９０に載置されたことを検知した場合に、無線ＬＡＮ（所定通信形態）を用いたバックエンドサーバ５０との間の通信を開始する。
【０１８７】
これにより、警察官３が、特別な操作を行うことなく、ウェアラブルカメラ１０に記録されている現場映像のデータをバックエンドサーバ５０に転送することができる。従って、警察官の中には、ウェアラブルカメラに記録された映像データを警察署内のバックエンドサーバに転送する操作を行うことができない、あるいはそのような煩雑な操作を嫌う者がいたとしても、そのような警察官に意識させることなく、映像データをバックエンドサーバに転送することができる。また、ウェアラブルカメラ１０に記録されている現場映像のデータが残ったままになっており、ウェアラブルカメラ１０の記憶部１５（メモリ）の残容量が著しく低下して記録不可となる、あるいは上書きされて映像データが消失してしまうことを防止できる。
【０１８８】
また、ウェアラブルカメラ１０は、撮像エリアを撮像した現場映像のデータを、無線ＬＡＮによりバックエンドサーバ５０に送信する。これにより、バックエンドサーバが設置された警察署内の警察官等は、送信された現場映像のデータを基に、撮像エリアの状況を確認できる。
【０１８９】
また、ウェアラブルカメラ１０は、集合充電台９０から取り外されたことを検知する。ウェアラブルカメラ１０は、それを検知した場合に、無線ＬＡＮを用いたバックエンドサーバ５０との間の通信を中止する。これにより、警察官３がウェアラブルカメラ１０を集合充電台９０から取り外すと、すぐにウェアラブルカメラ１０の準備が完了して使用できるようになる。
【０１９０】
また、ウェアラブルカメラ１０は、集合充電台９０に載置されたことを検知する前に、スマートフォン８０との間でＢＬＥにより接続する。ウェアラブルカメラ１０は、集合充電台９０に載置されたことを検知した場合に、ＢＬＥ通信から無線ＬＡＮに切り替える。これにより、ウェアラブルカメラ１０を集合充電台９０に載置すると、消費電力を抑える必要がなくなり、消費電力の少ないＢＬＥ通信から消費電力が大きくても高速通信可能な無線ＬＡＮに切り替えることができる。従って、無線ＬＡＮを用いて、ウェアラブルカメラに記録された現場映像のデータを高速でバックエンドサーバ５０に転送できる。
【０１９１】
また、ウェアラブルカメラ１０は、集合充電台９０から取り外されたこと（言い換えると、集合充電台９０への載置が解除されたこと）を検知した場合に、無線ＬＡＮからＢＬＥ通信に切り替える。これにより、集合充電台９０から取り外された後は、低消費電力のＢＬＥ通信を用いて、ウェアラブルカメラ１０はスマートフォン８０と通信することができる。従って、ウェアラブルカメラ１０のバッテリ２５の消費量を抑えることができる。
【０１９２】
以上、図面を参照しながら各種の実施形態について説明したが、本発明はかかる例に限定されないことは言うまでもない。当業者であれば、特許請求の範囲に記載された範疇内において、各種の変更例又は修正例に想到し得ることは明らかであり、それらについても当然に本発明の技術的範囲に属するものと了解される。
【０１９３】
例えば、上記実施形態では、ストリーミング映像データとして、映像データを送信する場合を示したが、映像データと共にあるいは代わりに、ウェアラブルカメラに備わるマイクで収音された音声データを切り出し、この切り出された音声データをストリーミングデータとして送信してもよい。
【０１９４】
また、上記実施形態では、警察署からの緊急連絡又は警察署への緊急連絡時に使用されるスマートフォンを用いて無線ＬＡＮアクセスポイントとしたが、データ転送の機能に限れば、スマートフォンに限らず、タブレット端末やモバイルルータを用いて無線ＬＡＮアクセスポイントとしてもよい。これらのタブレット端末やモバイルルータは、本明細書に記載のスマートフォン８０と同様に、ウェアラブルカメラ１０との間で、無線ＬＡＮによる無線通信を実行可能な構成部とＢＬＥによる無線通信を実行可能な構成とを搭載することで、スマートフォン８０と同様の効果を得ることが可能である。
【０１９５】
また、上記実施形態では、ストリーミング配信を行う場合、通信モードスイッチＳＷ３をスライドさせることで、ウェアラブルカメラ１０とスマートフォン８０の間の通信を、ＢＬＥ通信から無線ＬＡＮへ（又は無線ＬＡＮからＢＬＥ通信へ）と切り替えたが、通信モードスイッチＳＷ３の代わりに、録画スイッチＳＷ１を用いてもよい。つまり、録画スイッチＳＷ１を、ストリーミング開始ボタンとして使用してもよい。この場合、録画開始と同時にストリーミング配信を開始させてもよいし、録画開始とは別にストリーミング配信を開始させてもよい。ストリーミング配信を終了させる場合も同様である。また、録画スイッチＳＷ１の操作を、録画とストリーミング配信とで区別してもよい。録画スイッチＳＷ１がストリーミング開始・終了ボタンを兼ねることで、ウェアラブルカメラ１０の筐体１０ｚに配置されるボタンの数を減らすことができ、筐体１０ｚの表面を有効に活用できるようになる。
【産業上の利用可能性】
【０１９６】
本発明は、ウェアラブルカメラのバッテリの消費の無用な増大を抑制し、リアルタイムに撮像映像を送信可能とするウェアラブルカメラシステム及び通信制御方法として有用である。
【符号の説明】
【０１９７】
３  警察官
４  警察署
５  ウェアラブルカメラシステム
７  パトカー
１０  ウェアラブルカメラ
３１  車載カメラ
３２  車載ＰＣ
３３  車載レコーダ
５０  バックエンドサーバ（ＢＥＳ）
６０  バックエンドストリーミングサーバ（ＢＳＳ）
７０  バックエンドアドミニストレータ（ＢＥＡ）
７５  バックエンドクライアント（ＢＥＣ）
８０  スマートフォン
９０  集合充電台
ＮＷ  ネットワーク
ＳＷ３  通信モードスイッチ
【図１】
2018037965.tif 000003
【図２】
2018037965.tif 000004
【図３】
2018037965.tif 000005
【図４】
2018037965.tif 000006
【図５】
2018037965.tif 000007
【図６Ａ】
2018037965.tif 000008
【図６Ｂ】
2018037965.tif 000009
【図６Ｃ】
2018037965.tif 000010
【図７】
2018037965.tif 000011
【図８】
2018037965.tif 000012
【図９】
2018037965.tif 000013
【図１０】
2018037965.tif 000014
【図１１】
2018037965.tif 000015
【図１２】
2018037965.tif 000016
【図１３】
2018037965.tif 000017
【図１４】
2018037965.tif 000018
【図１５】
2018037965.tif 000019